(57)【要約】【課題】  フィルム状のスペーサを間にして、このスペーサの一方の面にフィルム状基材を配置し、上記スペーサの他方の面にフィルム状部材を配置して構成されているフィルム状のスイッチ装置において、静電気による故障が発生しにくいスイッチ装置を提供する。【解決手段】  フィルム状のスイッチ装置１において、端子部９と、端子部１１と、フィルム状基材５の内側の面に設けられた接点部１３Ａと、フィルム状部材７の内側の面に接点部１３Ａと対向して接触可能に設けられた接点部２９Ａと、第１の接点部１３Ａおよび第２の接点部２９Ａに対応してスペーサ３に設けられた貫通孔２８Ａと、接点部１３Ａと端子部９とを互いに電気的に接続している導通経路１５と、静電気による導通経路１５の破損を防ぐために、スイッチ装置１に設けられた保護回路２１とを有する。【選択図】図１
2006032230.tif 000002
【特許請求の範囲】
【請求項１】
フィルム状のスペーサを間にして、このスペーサの一方の面にフィルム状基材を配置し、上記スペーサの他方の面にフィルム状部材を配置して構成されているフィルム状のスイッチ装置において、
上記スイッチ装置に設けられた第１の端子部と；
上記第１の端子部から離れて上記スイッチ装置に設けられた第２の端子部と；
上記フィルム状基材の上記フィルム状部材側の面に設けられた第１の接点部と；
上記フィルム状部材の上記フィルム状基材側の面に上記第１の接点部と対向して接触可能に設けられた第２の接点部と；
上記第１の接点部および上記第２の接点部に対応して上記スペーサに設けられた貫通孔と；
上記第１の接点部と上記第１の端子部とを互いに電気的に接続している導通経路と；
静電気による上記導通経路の破損を防ぐために、上記スイッチ装置に設けられた保護回路と；
を有し、上記フィルム状のスイッチ装置が撓んで、上記第１の接点部と上記第２の接点部とが互いに接触したときに、上記第１の端子部と上記第２の端子部とが互いに電気的に接続するように構成されていることを特徴とするスイッチ装置。
【請求項２】
フィルム状のスペーサを間にして、このスペーサの一方の面にフィルム状基材を配置し、上記スペーサの他方の面にフィルム状部材を配置して構成されているフィルム状のスイッチ装置において、
上記スイッチ装置に設けられた第１の端子部と；
上記第１の端子部から離れて上記スイッチ装置に設けられた第２の端子部と；
上記フィルム状基材の上記フィルム状部材側の面に設けられた適数の第１の接点部で構成された第１の接点群と；
上記第１の端子部と上記第１の各接点部とを互いに電気的に接続している第１の導通経路と；
上記フィルム状基材の上記フィルム状部材側の面に上記第１の接点群から離れて設けられた適数の第２の接点部で構成された第２の接点群と；
上記第１の導通経路から離れて設けられ、上記第２の端子部と上記第２の各接点部とを互いに電気的に接続している第２の導通経路と；
上記フィルム状部材の上記フィルム状基材側の面に上記第１の接点部に対向して接触可能に設けられた適数の第３の接点部で構成された第３の接点群と；
上記フィルム状部材の上記フィルム状基材側の面に上記第２の各接点部に対向して接触可能に設けられた適数の第４の接点部で構成された第４の接点群と；
上記第１の導通経路または上記第１の端子部と電気的に接続し、上記第１の導通経路と並行する部位を備えた第１の回路と；
を有し、上記第３の接点群の適宜の接点部と上記第４の接点群の適宜の接点部とが、直接電気的に接触し、または、上記フィルム状基材および／または上記フィルム状部材に設けられた他の接点群を介して互いに電気的に導通するように構成されていることを特徴とするスイッチ装置。
【請求項３】
請求項２に記載のスイッチ装置において、
上記第１の回路とは離れて設けられていると共に、上記第２の導通経路または上記第２の端子部と電気的に接続し、上記第２の導通経路と並行する部位を備えた第２の回路を有することを特徴とするスイッチ装置。
【請求項４】
請求項３に記載のスイッチ装置において、
上記第１の回路は、上記第１の導通経路のうちの所定の部位である第１導通経路所定部位に沿って長く延びて形成されたことによって上記第１の導通経路と並行している第１の部位を備えていると共に、上記第１の部位と上記第１の導通経路とを互いに電気的に接続している第２の部位を備えており、
上記第２の回路は、上記第２の導通経路のうちの所定の部位である第２導通経路所定部位に沿って長く延びて形成されたことによって上記第２の導通経路と並行している第３の部位を備えていると共に、上記第３の部位と上記第２の導通経路とを互いに電気的に接続している第４の部位を備えていることを特徴とするスイッチ装置。
【請求項５】
請求項３に記載のスイッチ装置において、
上記第１の回路の上記第１の導通経路と並行している部位は、上記第１の導通経路を所定の箇所で所定の長さにわたり幅方向に拡張したことによって形成されており、
上記第２の回路の上記第２の導通経路と並行している部位は、上記第２の導通経路を所定の箇所で所定の長さにわたり幅方向に拡張したことによって形成されていることを特徴とするスイッチ装置。
【請求項６】
請求項２に記載のスイッチ装置において、
上記第１の回路は、上記第１の接点群、上記第２の接点群、上記第１の導通経路および上記第２の導通経路をほぼ囲むように、上記フィルム状基材の側面に沿って長く延びて形成されていることを特徴とするスイッチ装置。
【請求項７】
請求項６に記載のスイッチ装置において、
上記第１の回路が、所定の箇所で所定の長さにわたり、上記所定の箇所に直接対向している上記フィルム状基材の側面またはこの側面の近傍まで、幅方向に拡張されていることを特徴とするスイッチ装置。
【請求項８】
請求項３に記載のスイッチ装置において、
上記第１の回路は、上記第１の端子部側で上記フィルム状基材の側面に沿って長く延びて形成されており、
上記第２の回路は、上記第２の端子部側で上記フィルム状基材の側面に沿って長く延びて形成されており、
上記第１の回路と上記第２の回路とが協働して、上記第１の接点群、上記第２の接点群、上記第１の導通経路および上記第２の導通経路をほぼ囲んでおり、
上記第１の回路の一端部側が、上記第１の端子部に電気的に接続され、または、上記第１の端子部の近傍で上記第１の導通経路に電気的に接続されており、
上記第２の回路の一端部側が、上記第２の端子部に電気的に接続され、または、上記第２の端子部の近傍で上記第２の導通経路に電気的に接続されていると共に、
上記第１の回路の他端部側と上記第２の回路の他端部側とが、電気抵抗を介して、互いに電気的に接続されていることを特徴とするスイッチ装置。
【請求項９】
フィルム状のスペーサを間にして、このスペーサの一方の面にフィルム状基材を配置し、上記スペーサの他方の面にフィルム状部材を配置して構成されているフィルム状のスイッチ装置において、
上記スイッチ装置に設けられた第１の端子部と；
上記第１の端子部から離れて上記スイッチ装置に設けられた第２の端子部と；
上記フィルム状基材の上記フィルム状部材側の面に設けられた適数の第１の接点部と；
細長く延びて設けられ、上記第１の端子部と上記第１の各接点部とを互いに電気的に接続している第１の導通経路と；
上記フィルム状基材の上記フィルム状部材側の面に上記第１の各接点部に対応して上記第１の各接点部から僅かに離れて設けられた第２の各接点部と；
上記第１の導通経路から離れて細長く延びて設けられ、上記第２の端子部と上記第２の各接点部とを互いに電気的に接続している第２の導通経路と；
上記フィルム状部材の上記フィルム状基材側の面に、上記第１の各接点部と上記第２の各接点部とで構成された各接点対のそれぞれに対向して接触可能に設けられた第３の各接点部と；
上記第１の導通経路または上記第１の端子部と電気的に接続し、上記第１の導通経路と並行する部位を備えた第１の回路と；
を有することを特徴とするスイッチ装置。
【請求項１０】
請求項９に記載のスイッチ装置において、
上記第１の回路とは離れて設けられていると共に、上記第２の導通経路または上記第２の端子部と電気的に接続し、上記第２の導通経路と並行する部位を備えた第２の回路を有することを特徴とするスイッチ装置。
【請求項１１】
請求項２または請求項９に記載のスイッチ装置において、
上記第１の回路は、上記フィルム状基材の外側の面、上記フィルム状部材の外側の面のうちの少なくとも一方の面に設けられていると共に、
上記スイッチ装置の厚さ方向から眺めた場合、上記第１の回路は、上記各接点部および上記各導通経路が上記第１の回路の内側に位置するように形成されていることを特徴とするスイッチ装置。
【請求項１２】
フィルム状のスペーサを間にして、このスペーサの一方の面にフィルム状基材を配置し、上記スペーサの他方の面にフィルム状部材を配置して構成されているフィルム状のスイッチ装置において、
上記スイッチ装置に設けられた第１の端子部と；
上記フィルム状基材の上記フィルム状部材側の面に設けられた第１の接点部と；
上記第１の端子部と上記第１の接点部とを互いに電気的に接続している第１の導通経路と；
上記フィルム状部材の上記フィルム状基材側の面に上記第１の接点部と対向して接触可能に設けられた第２の接点部と；
上記第１の導通経路から離れて設けられ、上記第２の端子部と上記第２の接点部とを互いに電気的に接続している第２の導通経路と；
上記第１の接点部および上記第２の接点部に対応して上記スペーサに設けられた貫通孔と；
上記第１の導通経路または上記第１の端子部と電気的に接続し、上記第１の導通経路と並行する部位を備えた回路と；
を有することを特徴とするスイッチ装置。
【請求項１３】
フィルム状のスペーサを間にして、このスペーサの一方の面にフィルム状基材を配置し、上記スペーサの他方の面にフィルム状部材を配置して構成されているフィルム状のスイッチ装置において、
上記フィルム状基材の上記フィルム状部材側の面に設けられた第１の接点部と；
上記フィルム状部材の上記フィルム状基材側の面に、上記第１の接点部と対向して接触可能に設けられた第２の接点部と；
上記第１の接点部と上記第２の接点部とに対応した上記スペーサの部位に設けられた第１の貫通孔と；
上記第１の貫通孔が設けられている位置とは異なる位置で、上記フィルム状基材に設けられた第２の貫通孔と；
一端部側が上記第１の貫通孔に接続され他端部側が上記第２の貫通孔が設けられている部位まで延伸して、上記スペーサに設けられた切り欠きと；
上記スイッチ装置の厚さ方向から眺めた場合、上記第２の貫通孔が内側に位置するように、上記スイッチ装置に設けられた回路と；
を有することを特徴とするスイッチ装置。
【請求項１４】
フィルム状のスペーサを間にして、このスペーサの一方の面にフィルム状基材を配置し、上記スペーサの他方の面にフィルム状部材を配置して構成されているフィルム状のスイッチ装置において、
上記フィルム状基材の上記フィルム状部材側の面に設けられた第１の接点部と；
上記フィルム状基材の上記フィルム状部材側の面に上記第１の接点部に対応して上記第１の各接点部から僅かに離れて設けられた第２の接点部と；
上記フィルム状部材の上記フィルム状基材側の面に、上記第１の接点部と上記第２の接点部とで構成された接点対に対向して接触可能に設けられた第３の接点部と；
上記第１の接点部、上記第２の接点部および上記第３の接点部に対応した上記スペーサの部位に設けられた第１の貫通孔と；
上記第１の貫通孔が設けられている位置とは異なる位置で、上記フィルム状基材に設けられた第２の貫通孔と；
一端部側が上記第１の貫通孔に接続され他端部側が上記第２の貫通孔が設けられている部位まで延伸して、上記スペーサに設けられた切り欠きと；
上記スイッチ装置の厚さ方向から眺めた場合、上記第２の貫通孔が内側に位置するように、上記スイッチ装置に設けられた回路と；
を有することを特徴とするスイッチ装置。
【請求項１５】
フィルム状のスペーサを間にして、このスペーサの一方の面にフィルム状基材を配置し、上記スペーサの他方の面にフィルム状部材を配置して構成されているフィルム状のスイッチ装置において、
上記フィルム状基材の上記フィルム状部材側の面に設けられた第１の接点部と；
上記フィルム状基材の上記フィルム状部材側の面に上記第１の接点部に対応して上記第１の各接点部から僅かに離れて設けられた第２の接点部と；
上記フィルム状部材の上記フィルム状基材側の面に、上記第１の各接点部と上記第２の各接点部とで構成された接点対のそれぞれに対向して接触可能に設けられた第３の接点部と；
上記第１の接点部、上記第２の接点部および上記第３の接点部に対応した上記スペーサの部位に設けられた第１の貫通孔と；
上記第１の貫通孔が設けられている位置とは異なる位置で、上記フィルム状基材または上記フィルム状部材に設けられた第２の貫通孔と；
一端部側が上記第１の貫通孔に接続され他端部側が上記第の貫通孔が設けられている部位まで延伸して、上記スペーサに設けられた切り欠きと；
上記スイッチ装置の厚さ方向から眺めた場合上記第２の貫通孔が内側に位置するように、上記スイッチ装置に設けられた抵抗回路と；
上記第１の接点部と上記スイッチ装置に設けられている第１の端子部とを互いに電気的に接続するために、上記第１の接点部から延出している第１の導通経路と；
上記スイッチ装置に上記第１の端子部から離れて設けられている第２の端子部と上記第２の接点部とを互いに電気的に接続するために、上記第１の導通経路から離れて上記第２の接点部から延出している第２の導通経路と；
を有し、上記抵抗回路の一端部側が上記第１の導通経路に電気的に接続され、上記抵抗回路の他端部側が上記第２の導通経路に電気的に接続されていることを特徴とするスイッチ装置。
【発明の詳細な説明】
【技術分野】
【０００１】
本発明は、スイッチ装置に係り、特に、静電気に対する保護回路が設けられているものに関する。
【背景技術】
【０００２】
図５５は、従来のスイッチ装置２００の概略構成を示す図であり、図５６は、図５５のＬＶＩＡ−ＬＶＩＢ断面を示す図である。
【０００３】
図５７は、上記スイッチ装置２００を構成するフィルム状基材（フィルム）２０２の概略構成を示す図であり、図５８は、上記スイッチ装置２００を構成するスペーサ２０４の概略構成を示す図である。
【０００４】
従来のスイッチ装置２００は、図５６に示すように、ＰＥＮ樹脂、ＰＥＴ樹脂等の絶縁体よりなるスペーサ２０４（図５８参照）を間にして、このスペーサ２０４の一方の面にＰＥＮ樹脂、ＰＥＴ樹脂等の絶縁体よりなるフィルム状基材（フィルム）２０２（図５７参照）を配置し、上記スペーサ２０４の他方の面にＰＥＮ樹脂、ＰＥＴ樹脂等の絶縁体よりなるフィルム状部材（他方のフィルム）２０６を配置して構成されている。
【０００５】
なお、上記フィルム状基材２０２と、上記フィルム状部材（他方のフィルム）２０６とは同様に構成されている。
【０００６】
上記スイッチ装置２００は、たとえば、人が着座可能なシートの表皮の裏側に配して使用され、シートに着座した乗員の体重により動作し、シートへ乗員が着座しているか否かを検出する着座検出装置として使用される。
【０００７】
乗員の着座を検知するため、図５７に示すように、上記フィルム状基材２０２の上記フィルム状部材２０６側の面（内側の面）には、複数の電極（接点部）２１０Ａ〜２１０Ｆがそれぞれ離れて設けられている。
【０００８】
上記各電極（接点部）２１０Ａ〜２１０Ｆは、上記内側の面に配線された導線（導通経路）２０８で互いに電気的に接続されており、上記導線２０８の一方の側には、上記スイッチ装置２００を他の電気機器に接続するための第１の端子部（図示せず）が設けられている。
【０００９】
また、上記フィルム状基材２０２と同様に、上記フィルム状部材２０６の上記フィルム状基材２０２側の面（内側の面）には、複数の電極（接点部）２１４Ａ〜２１４Ｆがそれぞれ離れて設けられている。
【００１０】
上記各電極（接点部）２１４Ａ〜２１４Ｆは、上記内側の面に配線された導線（導通経路）２１２で互いに電気的に接続されており、上記導線２１２の一方の側には、上記スイッチ装置２００を他の電気機器に接続するための第２の端子部（図示せず）が設けられている。
【００１１】
上記スペーサ２０４は、上記フィルム状基材２０２と同様な形状に形成されていると共に、複数の貫通孔２１６を備えている。上記各貫通孔２１６は、上記各電極２１０Ａ〜２１０Ｆ、２１４Ａ〜２１４Ｆが設けられている位置に対応する位置に設けられている。
【００１２】
そして、上記各電極２１０Ａ〜２１０Ｆ、２１４Ａ〜２１４Ｆが常時は離間しているが、乗員の着座時に上記フィルム状基材２０２、上記フィルム状部材２０６が撓んで上記各電極２１０Ａ〜２１０Ｆ、２１４Ａ〜２１４Ｆが接触し（たとえば、電極２１０Ａと電極２１４Ａとが互いに接触し）、各導線２０８、２１２が互いに電気的に接続され、着座を検知することができる。
【００１３】
ここで、従来のスイッチ装置２００の導通経路２０８について説明する。
【００１４】
図５９は、図５５におけるＬＩＸＡ―ＬＩＸＢ断面を示す図であり、図６０は、図５９のＬＸ部の拡大図である。
【００１５】
上記導通経路２０８は、上記フィルム状基材２０２の表面にたとえば印刷によって薄く固着して設けられた銀２１８の上に、カーボン２２０を薄く設けて形成されている。上記導通経路２１２も、上記フィルム状部材２０６に上記導通経路２０８と同様に形成されている。
【００１６】
なお、上記従来のスイッチ装置２００に関連するスイッチ装置として特許文献１に記載にスイッチ装置が知られている。
【特許文献１】特開平９−３１５１９９号公報
【発明の開示】
【発明が解決しようとする課題】
【００１７】
ところで、上記従来のスイッチ装置２００では、静電気により上記導通経路２０８、２１２が破損するおそれがあるという問題ある。
【００１８】
より詳しく説明すると、たとえば、スイッチ装置２００の上記フィルム状基材２０２と上記スペーサ２０４との間に、静電気による過大な電流が一時的に流れ、上記導通経路２０８で火花が発生し、この火花が発生した部位およびこの周辺の温度が一時的に上昇し、上記導通経路２０８の銀２１８とカーボン２２０とが、図６１に示すように、上記フィルム状基材２０２の表面から剥離することがある。なお、図６１は、図６０に対応した図である。
【００１９】
この剥離後、上記従来のスイッチ装置２００（フィルム状基材２０２やスペーサ２０４）が使用により繰り返し撓むと、フィルム状基材２０２やスペーサ２０４に比べてもろい上記銀２１８とカーボン２２０とが破損し導通経路が断線することがある。
【００２０】
なお、火花のエネルギーが大きい場合には、上記火花が発生した部位で上記導通経路２０８が破損して断線し、さらに、上記火花が発生した部位で上記フィルム状基材２０２やスペーサ２０４、フィルム状部材２０６に孔があくことがある。
【００２１】
同様にして、上記フィルム状部材２０６の表面に設けられた導通経路２１２や上記フィルム状部材２０６も破損する場合がある。
【００２２】
上記導通経路２０８、２１２の破損によって、上記導通経路２０８、２１２が断線し、上記従来のスイッチ装置２００に故障が発生し、スイッチ装置２００が機能しなくなる。
【００２３】
本発明は、上記問題点に鑑みてなされたものであり、フィルム状のスペーサを間にして、このスペーサの一方の面にフィルム状基材を配置し、上記スペーサの他方の面にフィルム状部材を配置して構成されているフィルム状のスイッチ装置において、静電気による故障が発生しにくいスイッチ装置を提供することを目的とする。
【課題を解決するための手段】
【００２４】
請求項１に記載の発明は、フィルム状のスペーサを間にして、このスペーサの一方の面にフィルム状基材を配置し、上記スペーサの他方の面にフィルム状部材を配置して構成されているフィルム状のスイッチ装置において、上記スイッチ装置に設けられた第１の端子部と、上記第１の端子部から離れて上記スイッチ装置に設けられた第２の端子部と、上記フィルム状基材の上記フィルム状部材側の面に設けられた第１の接点部と、上記フィルム状部材の上記フィルム状基材側の面に上記第１の接点部と対向して接触可能に設けられた第２の接点部と、上記第１の接点部および上記第２の接点部に対応して上記スペーサに設けられた貫通孔と、上記第１の接点部と上記第１の端子部とを互いに電気的に接続している導通経路と、静電気による上記導通経路の破損を防ぐために、上記スイッチ装置に設けられた保護回路とを有し、上記フィルム状のスイッチ装置が撓んで、上記第１の接点部と上記第２の接点部とが互いに接触したときに、上記第１の端子部と上記第２の端子部とが互いに電気的に接続するように構成されているスイッチ装置である。
【００２５】
請求項２に記載の発明は、フィルム状のスペーサを間にして、このスペーサの一方の面にフィルム状基材を配置し、上記スペーサの他方の面にフィルム状部材を配置して構成されているフィルム状のスイッチ装置において、上記スイッチ装置に設けられた第１の端子部と、上記第１の端子部から離れて上記スイッチ装置に設けられた第２の端子部と、上記フィルム状基材の上記フィルム状部材側の面に設けられた適数の第１の接点部で構成された第１の接点群と、上記第１の端子部と上記第１の各接点部とを互いに電気的に接続している第１の導通経路と、上記フィルム状基材の上記フィルム状部材側の面に上記第１の接点群から離れて設けられた適数の第２の接点部で構成された第２の接点群と、上記第１の導通経路から離れて設けられ、上記第２の端子部と上記第２の各接点部とを互いに電気的に接続している第２の導通経路と、上記フィルム状部材の上記フィルム状基材側の面に上記第１の接点部に対向して接触可能に設けられた適数の第３の接点部で構成された第３の接点群と、上記フィルム状部材の上記フィルム状基材側の面に上記第２の各接点部に対向して接触可能に設けられた適数の第４の接点部で構成された第４の接点群と、上記第１の導通経路または上記第１の端子部と電気的に接続し、上記第１の導通経路と並行する部位を備えた第１の回路とを有し、上記第３の接点群の適宜の接点部と上記第４の接点群の適宜の接点部とが、直接電気的に接触し、または、上記フィルム状基材および／または上記フィルム状部材に設けられた他の接点群を介して互いに電気的に導通するように構成されているスイッチ装置である。
【００２６】
請求項３に記載の発明は、請求項２に記載のスイッチ装置において、上記第１の回路とは離れて設けられていると共に、上記第２の導通経路または上記第２の端子部と電気的に接続し、上記第２の導通経路と並行する部位を備えた第２の回路を有するスイッチ装置である。
【００２７】
請求項４に記載の発明は、請求項３に記載のスイッチ装置において、上記第１の回路は、上記第１の導通経路のうちの所定の部位である第１導通経路所定部位に沿って長く延びて形成されたことによって上記第１の導通経路と並行している第１の部位を備えていると共に、上記第１の部位と上記第１の導通経路とを互いに電気的に接続している第２の部位を備えており、上記第２の回路は、上記第２の導通経路のうちの所定の部位である第２導通経路所定部位に沿って長く延びて形成されたことによって上記第２の導通経路と並行している第３の部位を備えていると共に、上記第３の部位と上記第２の導通経路とを互いに電気的に接続している第４の部位を備えているスイッチ装置である。
【００２８】
請求項５に記載の発明は、請求項３に記載のスイッチ装置において、上記第１の回路の上記第１の導通経路と並行している部位は、上記第１の導通経路を所定の箇所で所定の長さにわたり幅方向に拡張したことによって形成されており、上記第２の回路の上記第２の導通経路と並行している部位は、上記第２の導通経路を所定の箇所で所定の長さにわたり幅方向に拡張したことによって形成されているスイッチ装置である。
【００２９】
請求項６に記載の発明は、請求項２に記載のスイッチ装置において、上記第１の回路は、上記第１の接点群、上記第２の接点群、上記第１の導通経路および上記第２の導通経路をほぼ囲むように、上記フィルム状基材の側面に沿って長く延びて形成されているスイッチ装置である。
【００３０】
請求項７に記載の発明は、請求項６に記載のスイッチ装置において、上記第１の回路が、所定の箇所で所定の長さにわたり、上記所定の箇所に直接対向している上記フィルム状基材の側面またはこの側面の近傍まで、幅方向に拡張されているスイッチ装置である。
【００３１】
請求項８に記載の発明は、請求項３に記載のスイッチ装置において、上記第１の回路は、上記第１の端子部側で上記フィルム状基材の側面に沿って長く延びて形成されており、上記第２の回路は、上記第２の端子部側で上記フィルム状基材の側面に沿って長く延びて形成されており、上記第１の回路と上記第２の回路とが協働して、上記第１の接点群、上記第２の接点群、上記第１の導通経路および上記第２の導通経路をほぼ囲んでおり、上記第１の回路の一端部側が、上記第１の端子部に電気的に接続され、または、上記第１の端子部の近傍で上記第１の導通経路に電気的に接続されており、上記第２の回路の一端部側が、上記第２の端子部に電気的に接続され、または、上記第２の端子部の近傍で上記第２の導通経路に電気的に接続されていると共に、上記第１の回路の他端部側と上記第２の回路の他端部側とが、電気抵抗を介して、互いに電気的に接続されているスイッチ装置である。
【００３２】
請求項９に記載の発明は、フィルム状のスペーサを間にして、このスペーサの一方の面にフィルム状基材を配置し、上記スペーサの他方の面にフィルム状部材を配置して構成されているフィルム状のスイッチ装置において、上記スイッチ装置に設けられた第１の端子部と、上記第１の端子部から離れて上記スイッチ装置に設けられた第２の端子部と、上記フィルム状基材の上記フィルム状部材側の面に設けられた適数の第１の接点部と、細長く延びて設けられ、上記第１の端子部と上記第１の各接点部とを互いに電気的に接続している第１の導通経路と、上記フィルム状基材の上記フィルム状部材側の面に上記第１の各接点部に対応して上記第１の各接点部から僅かに離れて設けられた第２の各接点部と、上記第１の導通経路から離れて細長く延びて設けられ、上記第２の端子部と上記第２の各接点部とを互いに電気的に接続している第２の導通経路と、上記フィルム状部材の上記フィルム状基材側の面に、上記第１の各接点部と上記第２の各接点部とで構成された各接点対のそれぞれに対向して接触可能に設けられた第３の各接点部と、上記第１の導通経路または上記第１の端子部と電気的に接続し、上記第１の導通経路と並行する部位を備えた第１の回路とを有するスイッチ装置である。
【００３３】
請求項１０に記載の発明は、請求項９に記載のスイッチ装置において、上記第１の回路とは離れて設けられていると共に、上記第２の導通経路または上記第２の端子部と電気的に接続し、上記第２の導通経路と並行する部位を備えた第２の回路を有するスイッチ装置である。
【００３４】
請求項１１に記載の発明は、請求項２または請求項９に記載のスイッチ装置において、上記第１の回路は、上記フィルム状基材の外側の面、上記フィルム状部材の外側の面のうちの少なくとも一方の面に設けられていると共に、上記スイッチ装置の厚さ方向から眺めた場合、上記第１の回路は、上記各接点部および上記各導通経路が上記第１の回路の内側に位置するように形成されているスイッチ装置である。
【００３５】
請求項１２に記載の発明は、フィルム状のスペーサを間にして、このスペーサの一方の面にフィルム状基材を配置し、上記スペーサの他方の面にフィルム状部材を配置して構成されているフィルム状のスイッチ装置において、上記スイッチ装置に設けられた第１の端子部と、上記フィルム状基材の上記フィルム状部材側の面に設けられた第１の接点部と、上記第１の端子部と上記第１の接点部とを互いに電気的に接続している第１の導通経路と、上記フィルム状部材の上記フィルム状基材側の面に上記第１の接点部と対向して接触可能に設けられた第２の接点部と、上記第１の導通経路から離れて設けられ、上記第２の端子部と上記第２の接点部とを互いに電気的に接続している第２の導通経路と、上記第１の接点部および上記第２の接点部に対応して上記スペーサに設けられた貫通孔と、上記第１の導通経路または上記第１の端子部と電気的に接続し、上記第１の導通経路と並行する部位を備えた回路とを有するスイッチ装置である。
【００３６】
請求項１３に記載の発明は、フィルム状のスペーサを間にして、このスペーサの一方の面にフィルム状基材を配置し、上記スペーサの他方の面にフィルム状部材を配置して構成されているフィルム状のスイッチ装置において、上記フィルム状基材の上記フィルム状部材側の面に設けられた第１の接点部と、上記フィルム状部材の上記フィルム状基材側の面に、上記第１の接点部と対向して接触可能に設けられた第２の接点部と、上記第１の接点部と上記第２の接点部とに対応した上記スペーサの部位に設けられた第１の貫通孔と、上記第１の貫通孔が設けられている位置とは異なる位置で、上記フィルム状基材に設けられた第２の貫通孔と、一端部側が上記第１の貫通孔に接続され他端部側が上記第２の貫通孔が設けられている部位まで延伸して、上記スペーサに設けられた切り欠きと、上記スイッチ装置の厚さ方向から眺めた場合、上記第２の貫通孔が内側に位置するように、上記スイッチ装置に設けられた回路とを有するスイッチ装置である。
【００３７】
請求項１４に記載の発明は、フィルム状のスペーサを間にして、このスペーサの一方の面にフィルム状基材を配置し、上記スペーサの他方の面にフィルム状部材を配置して構成されているフィルム状のスイッチ装置において、上記フィルム状基材の上記フィルム状部材側の面に設けられた第１の接点部と、上記フィルム状基材の上記フィルム状部材側の面に上記第１の接点部に対応して上記第１の各接点部から僅かに離れて設けられた第２の接点部と、上記フィルム状部材の上記フィルム状基材側の面に、上記第１の接点部と上記第２の接点部とで構成された接点対に対向して接触可能に設けられた第３の接点部と、上記第１の接点部、上記第２の接点部および上記第３の接点部に対応した上記スペーサの部位に設けられた第１の貫通孔と、上記第１の貫通孔が設けられている位置とは異なる位置で、上記フィルム状基材に設けられた第２の貫通孔と、一端部側が上記第１の貫通孔に接続され他端部側が上記第２の貫通孔が設けられている部位まで延伸して、上記スペーサに設けられた切り欠きと、上記スイッチ装置の厚さ方向から眺めた場合、上記第２の貫通孔が内側に位置するように、上記スイッチ装置に設けられた回路とを有するスイッチ装置である。
【００３８】
請求項１５に記載の発明は、フィルム状のスペーサを間にして、このスペーサの一方の面にフィルム状基材を配置し、上記スペーサの他方の面にフィルム状部材を配置して構成されているフィルム状のスイッチ装置において、上記フィルム状基材の上記フィルム状部材側の面に設けられた第１の接点部と、上記フィルム状基材の上記フィルム状部材側の面に上記第１の接点部に対応して上記第１の各接点部から僅かに離れて設けられた第２の接点部と、上記フィルム状部材の上記フィルム状基材側の面に、上記第１の各接点部と上記第２の各接点部とで構成された接点対のそれぞれに対向して接触可能に設けられた第３の接点部と、上記第１の接点部、上記第２の接点部および上記第３の接点部に対応した上記スペーサの部位に設けられた第１の貫通孔と、上記第１の貫通孔が設けられている位置とは異なる位置で、上記フィルム状基材または上記フィルム状部材に設けられた第２の貫通孔と、一端部側が上記第１の貫通孔に接続され他端部側が上記第の貫通孔が設けられている部位まで延伸して、上記スペーサに設けられた切り欠きと、上記スイッチ装置の厚さ方向から眺めた場合上記第２の貫通孔が内側に位置するように、上記スイッチ装置に設けられた抵抗回路と、上記第１の接点部と上記スイッチ装置に設けられている第１の端子部とを互いに電気的に接続するために、上記第１の接点部から延出している第１の導通経路と、上記スイッチ装置に上記第１の端子部から離れて設けられている第２の端子部と上記第２の接点部とを互いに電気的に接続するために、上記第１の導通経路から離れて上記第２の接点部から延出している第２の導通経路とを有し、上記抵抗回路の一端部側が上記第１の導通経路に電気的に接続され、上記抵抗回路の他端部側が上記第２の導通経路に電気的に接続されているスイッチ装置である。
【発明の効果】
【００３９】
本発明によれば、フィルム状のスペーサを間にして、このスペーサの一方の面にフィルム状基材を配置し、上記スペーサの他方の面にフィルム状部材を配置して構成されているフィルム状のスイッチ装置において、静電気による故障が発生しにくいという効果を奏する。
【発明を実施するための最良の形態】
【００４０】
［第１の実施形態］
図1は、本発明の第１の実施形態に係るスイッチ装置１の概略構成を示す図であり、図２は、図１におけるＩＩＡ―ＩＩＢ断面を示す図である。
【００４１】
スイッチ装置１は、上記従来のスイッチ装置２００と同様に、たとえば、人が着座可能なシートの表皮の裏側に配して使用され、シートに着座した乗員の体重により動作し、シート（座席）へ乗員が着座しているか否かを検出する着座検出装置として使用される。
【００４２】
スイッチ装置１は、図２に示すように、フィルム状のスペーサ３（図６参照）を間にして、このスペーサ３の一方の面にフィルム状基材５（図３参照）を配置し、上記スペーサ３の他方の面にフィルム状部材７（図７参照）を配置してフィルム状に構成されている。
【００４３】
上記フィルム状基材５と上記スペーサ３とは、たとえば、粘着剤によって接着され、上記フィルム状部材７と上記スペーサ３も、粘着剤によって接着されている。
【００４４】
ここで、スイッチ装置１を構成しているフィルム状基材５について詳しく説明する。
【００４５】
図３は、スイッチ装置１を構成しているフィルム状基材５の概略構成を示す図である。
【００４６】
フィルム状基材５は、ＰＥＮ樹脂、ＰＥＴ樹脂等の絶縁体でフィルム状に薄く構成され、可撓性を備えている。
【００４７】
また、フィルム状基材５は、所定の幅で帯状に長く形成されている基端部側部位５Ａを備え、この基端部側部位５Ａの先端部側には、所定の幅で帯状に長く形成されている中間部位５Ｂが一体的に設けられている。
【００４８】
上記基端部側部位５Ａの長手方向と上記中間部位５Ｂとの長手方向とはほぼ直交していると共に、上記中間部位５Ｂの長手方向の中央部が上記基端部側部位５Ａの上記先端部側に接続しており、上記基端部側部位５Ａと上記中間部位５Ｂとにより「Ｔ」字状の部位が形成されている。
【００４９】
上記中間部位５Ｂの長手方向の一端部には、所定の幅で帯状に長く形成されている第１の先端部側部位５Ｃが一体的に設けられており、上記中間部位５Ｂの長手方向と上記第１の先端部側部位５Ｃとの長手方向とはほぼ直交していると共に、上記第１の先端部側部位５Ｃの長手方向の中央部が上記中間部位５Ｂの長手方向の一端部に接続している。
【００５０】
また、上記中間部位５Ｂの長手方向の他端部には、上記第１の先端部側部位５Ｃと同様に構成された第２の先端部側部位５Ｄが、上記第１の先端部側部位５Ｃと同様に一体的に設けられている。上記中間部位５Ｂと上記第１の先端部側部位５Ｃと上記第２の先端部側部位５Ｄとにより「Ｈ」字状の部位が形成されている。
【００５１】
上述のように構成されていることにより、上記フィルム状基材５は、基端部から先端部に向かうにしたがって複数に枝分れしているということができ、また、上記基端部側部位５Ａの幅方向の中央部を通り上記基端部側部位５Ａの長手方向に延伸した中心線ＣＬ１に対して、上記フィルム状基材５が線対称の形状に形成され、上記第１、第２の各先端部側部位５Ｃ、５Ｄの各端末部は互いに離れて配置されている。
【００５２】
また、たとえば、上記フィルム状基材５の上記フィルム状部材７（スペーサ３側の面；内側の面）側の面であって、上記基端部側部位５Ａの基端部側（上記中間部位５Ｂとは反対側）には、第１の端子部９が設けられており、さらに、上記第１の端子部９から僅かに離れて第２の端子部１１が設けられている。
【００５３】
なお、上記第１の端子部９は、上記第１の先端部側部位５Ｃが設けられている側に位置し、上記第２の端子部１１は、上記第２の先端部側部位５Ｄが設けられている側に位置している。また、上記中心線ＣＬ１に対して線対称の位置に、上記第１の端子部９と上記第２の端子部１１とが設けられている。
【００５４】
上記第1の端子部９と上記第２の端子部１１とは、他の電気機器（たとえば、自動車の制御装置）から延出しているコネクタに、上記スイッチ装置１を電気的に接続するときに使用されるものであり、上記第1の端子部９と上記第２の端子部１１とは、たとえば、カシメやハトメ等の接続手段によって上記他の電気機器に接続されるようになっている。
【００５５】
上記フィルム状基材５の上記フィルム状部材７側の面（スペーサ３側の面；内側の面）には、上記第１の端子部９と電気的に導通している適数の第１の接点部１３Ａ、１３Ｂが設けられており、上記第１の各接点部１３Ａ、１３Ｂが第１の接点群１３を構成している。
【００５６】
より詳しく説明すると、上記第１の先端部側部位５Ｃの長手方向の両端部（端末）側であって上記第１の先端部側部位５Ｃの幅方向の中間部に、上記第１の各接点部１３Ａ、１３Ｂがそれぞれ設けられている。
【００５７】
また、上記フィルム状基材５の上記フィルム状部材７側の面には、細長く延びた第１の導通経路１５が形成され、この第１の導通経路１５によって、上記第１の端子部９と上記第１の各接点部１３Ａ、１３Ｂとが互いに電気的に接続している。
【００５８】
上記第１の導通経路１５は、上記基端部側部位５Ａの幅方向の上記第１の先端部側部位５Ｃ寄りを、上記第１の端子部９から上記中間部位５Ｂの幅方向の中間部まで、上記基端部側部位５Ａの長手方向に直線状に延伸し、上記中間部位５Ｂの幅方向の中間部から上記第１の先端部側部位５Ｃの幅方向の中間部まで、上記中間部位５Ｂの長手方向（上記基端部側部位５Ａの長手方向と直交する方向）に直線状に延伸している。
【００５９】
さらに、上記第１の導通経路１５は、上記第１の先端部側部位５Ｃの幅方向の中間部まで延伸したところで２つに枝分れし、この枝分れした一方の部位が、一方の上記第１の接点部１３Ａまで、上記第１の先端部側部位５Ｃの長手方向（上記中間部位５Ｂの長手方向と直交する方向）に直線状に延伸し、一方の上記第１の接点部１３Ａに接続している。
【００６０】
また、上記枝分れした他方の部位が、他方の上記第１の接点部１３Ｂまで、上記第１の先端部側部位５Ｃの長手方向に直線状に延伸し、他方の上記第１の接点部１３Ｂに接続している。
【００６１】
換言すれば、上記フィルム状基材５の上記中間部位５Ｂから上記第１の先端部側部位５Ｃへうつるときに上記フィルム状基材５が複数に枝分れしていることに応じて、上記第１の導通経路１５も複数に枝分れし、この枝分れした第１の導通経路１５の各先端部に、第１の各接点部１３Ａ、１３Ｂが設けられている。
【００６２】
また、上記フィルム状基材５の上記フィルム状部材７側の面には、適数の第２の接点部１７Ａ、１７Ｂが、上記中心線ＣＬ１に対して、上記第１の各接点部１３Ａ、１３Ｂと対称な位置に設けられており、上記第２の各接点部１７Ａ、１７Ｂが第２の接点群１７を構成している。
【００６３】
上記第２の各接点部１７Ａ、１７Ｂは、上記第１の先端部側部位５Ｃから離れた上記第２の先端部側部位５Ｄに設けられていることにより、上記第１の接点群１３（上記第１の各接点部１３Ａ、１３Ｂ）から離れている。
【００６４】
また、上記第１の導通経路１５と同様に、上記フィルム状基材５の上記フィルム状部材７側の面には、第２の導通経路１９が形成され、この第２の導通経路１９によって、上記第２の端子部１１と上記第２の各接点部１７Ａ、１７Ｂとが互いに電気的に接続している。
【００６５】
上記第２の導通経路１９は、上記第１の導通経路１５とは電気的に接続していない状態で、上記中心線ＣＬ１に対して上記第１の導通経路１５とは線対称に設けられている。
【００６６】
また、上記フィルム状基材５の上記フィルム状部材７側の面には、たとえば、静電気による上記第１の導通経路１５の破損を防ぐための保護回路として、第１の回路２１が設けられている。この第１の回路２１は、上記第１の導通経路１５または上記第１の端子部９と電気的に接続し、上記第１の導通経路１５と並行する部位２１Ａを備え、上記第１の導通経路１５とは別個に設けられている。
【００６７】
なお、第１の回路２１は、上記スペーサ３の上記フィルム状基材５側の面に設けられていてもよい。
【００６８】
より詳しく説明すると、上記第１の回路２１は、上記第１の導通経路１５のうちの細長く延びている所定の部位である第１導通経路所定部位に沿って、細長く延びて形成されたことによって上記第１の導通経路１５と並行している第１の部位２１Ａを備えていると共に、上記第１の部位２１Ａと上記第１の導通経路１５とを互いに電気的に接続している第２の部位２１Ｂを備えている。
【００６９】
さらに、上記第１の部位２１Ａは、上記フィルム状基材５の側面と上記第１導通経路所定部位との間で、上記第１の導通経路１５および上記第２の導通経路１９から離れて設けられている。
【００７０】
ここで、上記第１の部位２１Ａについてより詳しく説明すると、上記第１の部位２１Ａは、たとえば、上記第１の導通経路１５のうちで、上記基端部側部位５Ａに沿って延伸している部位や、上記中間部位５Ｂに沿って延伸している部位や、上記第１の先端部側部位５Ｃに沿って延伸している部位に平行に延伸している。
【００７１】
なお、図３に示す上記第１の回路２１が設けられている位置は例示であり、図３に示した部位以外の箇所に、上記第１の回路２１を設けてもよい。たとえば、試験等の結果に応じて静電気による電流が流れやすい部位を選択し、この部位に応じて上記第１の導通経路１５の適宜の箇所に、上記第１の回路２１を適数個設けるとよい。
【００７２】
また、上記第１の回路２１が上記第１の導通経路１５に設けられているのと同様に、第２の回路２３が、上記フィルム状基材５の上記フィルム状部材７側の面に設けられている。上記第２の回路２３は、上記第１の回路２１と同様に、上記第２の導通経路１９と並行した第３の部位２３Ａとこの第３の部位２３Ａを上記第２の導通経路１９に電気的に接続している第４の部位２３Ｂとで構成されている。
【００７３】
なお、上記第３の部位２３Ａは、たとえば、上記第２の導通経路１９のうちで、上記基端部側部位５Ａに沿って延伸している部位や上記第２の先端部側部位５Ｄに沿って延伸している部位に並行して設けられている。
【００７４】
上記第１の導通経路１５と上記第１の回路２１とは、図４（図３におけるＩＶＡ―ＩＶＢ断面）に示すように、上記フィルム状基材５の表面にたとえば印刷によって薄く設けられた銀２５により構成されており、この銀２５の上には、カーボン２７が薄く設けて形成されている。
【００７５】
なお、上記第２の導通経路１９、上記第２の回路２３、上記各接点部１３Ａ、１３Ｂ、１７Ａ、１７Ｂも、上記第１の導通経路１５や上記第１の回路２１と同様に、銀２５によって構成され、この銀２５の上に、カーボン２７を薄く設けてある。
【００７６】
上記カーボン２７の幅は、上記銀２５の幅よりも僅かに太く形成されている。そして、上記フィルム状基材５の厚さ方向から眺めた場合、上記カーボンの２５の内側に、上記銀２５が存在し覆っており、上記銀２５が酸化等することを防いでいる。
【００７７】
なお、図５に示すように、上記第１の導通経路１５と上記第１の回路２１の第１の部位２１Ａとが並行している部位において、上記第１の導通経路１５や第１の部位２１Ａの幅方向に連続して、カーボン２７を形成してもよい。
【００７８】
次に、上記スペーサ３について詳しく説明する。
【００７９】
図６は、スペーサ３の概略構成を示す図である。
【００８０】
スペーサ３は、フィルム状基材５と同様に、ＰＥＮ樹脂、ＰＥＴ樹脂等の絶縁体でフィルム状に薄く形成され可撓性を備えている。
【００８１】
また、上記スペーサ３の外形形状は、フィルム状基材５とほぼ同様の形状に形成されている。すなわち、スイッチ装置１を形成すべく、スペーサ３の一方の面にフィルム状基材５を貼り付けて設けた場合、スペーサ３の外形とフィルム状基材５の外形とが互いにほぼ一致するようになっている。
【００８２】
ただし、スペーサ３の一方の面にフィルム状基材５を貼り付けて設けた場合、上記フィルム状基材５に設けられている各端子部９、１１が隠れないで露出するように、上記スペーサ３では、上記各端子部９、１１が設けられている部位に対応する部位が削除されている。
【００８３】
また、フィルム状基材５の上記各接点部１３Ａ、１３Ｂ、１７Ａ、１７Ｂが設けられている部位に対応するスペーサ３の部位には、上記スペーサ３の厚さ方向に貫通した各貫通孔２８Ａ〜２８Ｄが設けられている。
【００８４】
次に、フィルム状部材７について詳しく説明する。
【００８５】
図７は、スイッチ装置１を構成するフィルム状部材７の概略構成を示す図である。
【００８６】
上記フィルム状部材７は、フィルム状基材５やスペーサ３と同様に、ＰＥＮ樹脂、ＰＥＴ樹脂等の絶縁体でフィルム状に薄く形成され可撓性を備えている。
【００８７】
また、上記フィルム状部材７の外形形状は、上記スペーサ３と同様の形状に形成されている。
【００８８】
上記フィルム状部材７の上記フィルム状基材５側の面（スペーサ３側の面；内側の面）には、上記フィルム状基材５の上記第１の各接点部１３Ａ、１３Ｂに対向して接触可能に設けられた適数の第３の接点部２９Ａ、２９Ｂで構成された第３の接点群２９と、上記第２の各接点部１７Ａ、１７Ｂに対向して接触可能に設けられた適数の第４の接点部３１Ａ、３１Ｂで構成された第４の接点群３１とが設けられている。
【００８９】
換言すれば、スイッチ装置１を形成すべく、フィルム状基材５とスペーサ３とフィルム状部材７を順に重ね合わせた場合、第１の接点群１３を構成している一方の接点部１３Ａと第３の接点群２９を構成している一方の第３の接点部２９Ａとが、スペーサ３を間にして（スペーサ３の貫通孔２８Ａを間にして）互いに離れて対向して存在し（図２参照）、同様に、第１の接点群１３を構成している他方の接点部１３Ｂと第３の接点群２９を構成している他方の第３の接点部２９Ｂとが互いに離れて対向して存在し、第２の接点群１７を構成している一方の接点部１７Ａと第４の接点群３１を構成している一方の第４の接点部３１Ａとが互いに離れて対向して存在し、第２の接点群１７を構成している他方の接点部１７Ｂと第４の接点群３１を構成している他方の第４の接点部３１Ｂとが互いに離れて対向して存在している。
【００９０】
また、上記第３の接点群２９の適宜の接点部と上記第４の接点群３１の適宜の接点部とが直接電気的に導通している。たとえば、図７に示すように、上記フィルム状部材７の上記フィルム状基材５側の面に設けられた「Ｈ」字状の第３の導通経路３３を介して、上記第３の接点群２９および上記第４の接点群３１を構成している総ての接点部２９Ａ、２９Ｂ、３１Ａ、３１Ｂが、互いに電気的に導通している。
【００９１】
なお、上記各接点部２９Ａ、２９Ｂ、３１Ａ、３１Ｂや上記第３の導通経路３３は、上記フィルム状基材５の上記各接点部１３Ａ、１３Ｂ、１７Ａ、１７Ｂや上記各導通経路１５、１９と同様に、上記フィルム状部材７の表面にたとえば印刷によって薄く設けられた銀によって構成され、この銀の上にはカーボンが薄く設けられている（図１０参照）。
【００９２】
上記スイッチ装置１を座席に設け、この座席に人が座ると、上記スイッチ装置１（フィルム状基材５やフィルム状部材７）が撓む。
【００９３】
そして、第１の接点群１３を構成している一方の接点部１３Ａと上記第３の接点群２９を構成している一方の接点部２９Ａとが互いに接触するかもしくは第１の接点群１３を構成している他方の接点部１３Ｂと上記第３の接点群２９を構成している他方の接点部２９Ｂとが互いに接触し、かつ、第２の接点群１７を構成している一方の接点部１７Ａと上記第４の接点群３１を構成している一方の接点部３１Ａとが互いに接触するかもしくは第２の接点群１７を構成している他方の接点部１７Ｂと上記第４の接点群３１を構成している他方の接点部３１Ｂとが互いに接触したときに、上記第１の端子部９と上記第２の端子部１１とが互いに電気的に導通し、人の着座を検出することができる。
【００９４】
ところで、上記スイッチ装置１では、上記第３の接点群２９の接点部と、上記第４の接点群の接点部とが、直接電気的に導通（接続）されているが、上記フィルム状基材５および／または上記フィルム状部材７に適宜の他の接点群や他の導通経路を設け、これらの接点群や導通経路を介して、上記第３の接点群２９の接点部と上記第４の接点群の接点部とが互いに電気的に導通するようにしてもよい。
【００９５】
スイッチ装置１によれば、上記第１の導通経路１５または上記第１の端子部９と電気的に接続し、上記第１の導通経路１５と並行する部位２１Ａを具備した第１の回路２１を備えているので、上記第１の回路２１の上記並行した部位２１Ａで、静電気による火花を発生するようになっている。すなわち、上記第１の回路２１を設けたことによって、静電気により発生する火花が、上記第１の導通経路１５で発生することを回避することができる。
【００９６】
したがって、静電気により上記第１の導通経路１５が破損することや、上記第１の導通経路１５近傍におけるフィルム状基材の部位、スペーサ３の部位、フィルム状部材７の部位の破損を防止することができ、上記第１の導通経路１５が破損しにくくなっている。
【００９７】
また、上記第２の回路２３を設けたことにより、上記第２の導通経路１９においても、上記第１の導通経路１５と同様に、静電気による破損を回避することができる。
【００９８】
さらに、上記第１の回路２１、上記第２の回路２３を設けたことにより、上記第１の導通経路１５や上記第２の導通経路１９の場合と同様に、上記第３の導通経路３３の破損を防止することができる。
【００９９】
そして、上記導通経路１５、１９、３３の破損により、上記導通経路１５、１９、３３が断線し、上記スイッチ装置１に故障が発生し、上記スイッチ装置１が機能しなくなる事態を回避することができる。
【０１００】
また、スイッチ装置１によれば、互いが離れている少なくとも２箇所の接点対において各接点部が接触しなければ、たとえば、第１の接点群１３を構成している一方の接点部１３Ａと上記第３の接点群２９を構成している一方の接点部２９Ａとが互いに接触し、かつ、第２の接点群１７を構成している一方の接点部１７Ａと上記第４の接点群３１を構成している一方の接点部３１Ａとが互いに接触しなければ、上記第１の端子部９と上記第２の端子部１１とが互いに電気的に導通しないようになっている。
【０１０１】
したがって、荷物のエッジ等によって１箇所の接点対の各接点部のみが互いに接触するだけでは、各端子部同士９、１１が互いに電気的に導通することはなく、着座の誤検出を極力防ぐことができる。
【０１０２】
ところで、スイッチ装置１を座席に設置し、人が着座したときに静電気が発生しやすい。この発生した静電気は、たとえば、粘着剤が存在しているフィルム状基材５との間で、スイッチ装置１の側面（フィルム状基材５等の側面）から、上記スイッチ装置１の内部に入り、たとえば上記第１の導通経路１５に達しやすい。
【０１０３】
しかしながら、スイッチ装置１によれば、上記第１導通経路所定部位と直接対向している上記フィルム状基材５の側面と、上記第１導通経路所定部位との間に、第１の回路２１の第１の部位２１Ａを設けてあるので、上記第１導通経路所定部位と直接対向している上記フィルム状基材５の側面（静電気が入ってきやすい部位）から入ってきた静電気が、上記第１の導通経路１５に達する前に、上記第１の回路２１の上記並行した部位２１Ａでせき止められ、上記第１導通経路所定部位が静電気によつ火花で破損することを防止することができる。
【０１０４】
なお、上記第１の導通経路１５の所定の部位（上記第１導通経路所定部位）として、試験等の結果に応じて静電気による電流が流れやすい箇所を選択し、上記第１の回路２１を設置する位置を適宜の位置にすれば、上記第１の回路２１を無駄に設置することを回避し、静電気による上記第１の導通経路１５の破損を防止できる。
【０１０５】
また、上記第１の回路２１と同様に設けられた上記第２の回路２３によっても、上記第２の導通経路１９の破損を防止することができる。
【０１０６】
［第２の実施形態］
図８は、本発明の第２の実施形態に係るスイッチ装置１ａに使用されるフィルム状基材３５の概略構成を示す図である。
【０１０７】
スイッチ装置１ａは、フィルム状基材３５に設けられている第１の回路の形態が、上記第１の実施形態に係るスイッチ装置１とは異なり、その他の点は、上記第１の実施形態に係るスイッチ装置１とほぼ同様に構成されており、ほぼ同様の効果を奏する。
【０１０８】
したがって、スイッチ装置１ａのスペーサ、フィルム状部材は、第１の実施形態に係るスイッチ装置１と同じものが使用される。また、図８において、第１の実施形態に係るスイッチ装置１のフィルム状基材５と同様に構成されているものには、同じ符号を付してある。
【０１０９】
スイッチ装置１ａでは、上記第１の実施形態に係るスイッチ装置１に設けられている第１の回路２１、第２の回路２３の代わりに、上記第１の回路２１、第２の回路２３とは異なる形状の第１の回路３７、第２の回路３９が設けられている。
【０１１０】
すなわち、上記第１の導通経路１５が所定の箇所で所定の長さにわたり幅方向（上記第１の導通経路１５の延伸方向とは直交する方向）に拡張されたことによって、第２の実施形態に係る上記第１の回路３７が形成され、この第１の回路３７に上記第１の導通経路１５と並行している部位３７Ａが形成されている。
【０１１１】
詳しく説明すると、上記第１の導通経路１５が所定の箇所で所定の長さにわたり、上記第１の導通経路１５の上記所定の箇所と直接対向している上記フィルム状基材５の側面の方向に、上記第１の導通経路１５が拡張されて、上記第１の回路３７が形成されていると共に、この第１の回路３７の幅方向の一端部（拡張する前の第１の導通経路１５とは反対側の一端部）が、上記並行している部位３７Ａを形成している。
【０１１２】
また、フィルム状基材３５の中間部位５Ｂに設けられた第１の回路３７のように、上記第１の導通経路１５と直接対向している上記フィルム状基材３５の側面が、上記第１の導通経路１５の両側に存在している場合には、上記第１の導通経路１５がこの幅方向で両方向に拡張され、両側に並行している部位３７Ａが形成されている。
【０１１３】
なお、上記第２の回路３９も上記第１の回路３７と同様に形成されており、並行した部位３９Ａを備えている。
【０１１４】
また、上記第１の回路３７、上記第２の回路３９も、第１の実施形態に係る上記第１の導通経路１５や上記第１の回路２１と同様に、上記フィルム状基材３５の表面にたとえば印刷によって薄く設けられた銀により構成されており、この銀の上に、カーボンが薄く設けられている（図１０参照）。
【０１１５】
スイッチ装置１によれば、上記第１の回路３７が、上記第１の導通経路１５を所定の箇所で所定の長さにわたり幅方向に拡張して形成された部位（上記第１の導通経路１５と平行している部位）３７Ａを備えているので、この並行している部位３７Ａにより、上記第１の実施形態に係るスイッチ装置と同様に、静電気による火花の発生で上記第１の導通経路１５が破損することを防止することができる。
【０１１６】
また、上記第１の回路３７が、上記第１の導通経路１５を幅方向に拡張することによって長い矩形状に形成されているので、上記第１の導通経路１５と上記並行して設けられている部位３７Ａとの間が断線しにくくなっている。
【０１１７】
なお、上記第２の回路３９によっても、上記第１の回路３７と同様に、上記第２の導通経路１９の破損を防止することができる。
【０１１８】
［第３の実施形態］
図９は、本発明の第３の実施形態に係るスイッチ装置１ｂの概略構成を示す図であり、図１０は、図９におけるＸＡ−ＸＢ断面を示す図である。
【０１１９】
図１１は、第３の実施形態に係るスイッチ装置１ｂを構成しているフィルム状基材４１の概略構成を示す図である。
【０１２０】
スイッチ装置１ｂは、フィルム状基材４１に設けられている第１の回路の形態が、上記第１の実施形態に係るスイッチ装置１とは異なり、その他の点は、上記第１の実施形態に係るスイッチ装置１とほぼ同様に構成されており、ほぼ同様の効果を奏する。
【０１２１】
したがって、スイッチ装置１ｂのスペーサ、フィルム状部材は、第１の実施形態に係るスイッチ装置１と同じものが使用される。また、図９、図１１において、第１の実施形態に係るスイッチ装置１のフィルム状基材５と同様に構成されているものには、同じ符号を付してある。
【０１２２】
スイッチ装置１ｂでは、上記第１の実施形態に係るスイッチ装置１に設けられている第１の回路２１、第２の回路２３の代わりに、上記第１の回路２１、第２の回路２３とは異なる形状の第１の回路４３が設けられている。
【０１２３】
すなわち、上記第１の回路４３は、第１の接点群１３の各接点部１３Ａ、１３Ｂ、第２の接点群１７の各接点部１７Ａ、１７Ｂ、第１の導通経路１５、第２の導通経路１９および第２の端子部１１から離れて、上記各接点部１３Ａ、１３Ｂ、１７Ａ、１７Ｂ、上記各導通経路１５、１９をほぼ囲むように、上記フィルム状基材５の上記フィルム状部材７側の面で上記フィルム状基材５の側面に沿って長く延びて形成されている。
【０１２４】
このように、長く延びて形成されていることによって、上記回路４３も、上記第１の導通経路１５や上記第２の導通経路１９と並行している部位を備えている。
【０１２５】
なお、上記第１の回路４３も、第１の実施形態に係る上記第１の導通経路１５や上記第１の回路２１と同様に、上記フィルム状基材４１の表面にたとえば印刷によって薄く設けられた銀によって構成されており、この銀の上にカーボンを薄く設けてある（図１０参照）。
【０１２６】
また、スイッチ装置１ｂでは、上記第１の回路４３の一端部が上記第１の端子部９に電気的に接続しているが、上記第１の回路４３の一端部が、上記第１の端子部９の近傍で上記第１の導通経路１５に接続されていてもよい。
【０１２７】
また、上述したように、上記第１の回路４３が形成され配置されていることにより、上記フィルム状基材５の側面と上記第１の回路４３との間には、他の接点部や他の導通経路が不存在な状態になっている。
【０１２８】
スイッチ装置１ｂによれば、上記第１の回路４３が、上記第１の接点群１３の各接点部１３Ａ、１３Ｂ、上記第２の接点群１７の各接点部１７Ａ、１７Ｂ、上記第１の導通経路１５、上記第２の導通経路１９、上記第３の接点群２９の各接点部２９Ａ、２９Ｂ、上記第４の接点群３１の各接点部３１Ａ、３１Ｂおよび上記第３の導通経路３３をほぼ囲むように、上記フィルム状基材の側面に沿って長く延びて形成されているので、上記フィルム状基材の側面のさまざまな箇所から上記スイッチ装置の内側に向かって静電気による電流が流れても、上記各導通経路１５、１９、３３および上記各接点部１３Ａ、１３Ｂ、１７Ａ、１７Ｂ、２９Ａ、２９Ｂ、３１Ａ、３１Ｂでの火花の発生を防止することができ、上記各導通経路１５、１９、３３および上記各接点部１３Ａ、１３Ｂ、１７Ａ、１７Ｂ、２９Ａ、２９Ｂ、３１Ａ、３１Ｂが破損することを防止することができる。
【０１２９】
なお、図１１に破線で示すように、上記第１の導通経路１５と上記回路４３の中間部とを互いに電気的に接続する導通経路４３Ａを設けてもよい。上記導通経路４３Ａを設けることによって、上記第１の導通経路１５と上記回路４３との間での断線がし難くなる。
【０１３０】
［第４の実施形態］
図１２は、本発明の第４の実施形態に係るスイッチ装置１ｃの概略構成を示す図であり、図１３は、第４の実施形態に係るスイッチ装置１ｃを構成しているフィルム状基材４５の概略構成を示す図である。
【０１３１】
図１４は、第４の実施形態に係るスイッチ装置１ｃを構成しているスペーサ４７の概略構成を示す図であり、図１５は、第４の実施形態に係るスイッチ装置１ｃを構成しているフィルム状部材４９の概略構成を示す図である。
【０１３２】
スイッチ装置１ｃでは、上記第３の実施形態に係る第１の回路４３と同様に形成された回路５０に、別の回路５１を加えたことにより、第４の実施形態に係る第１の回路５３が形成されている点が、上記第３の実施形態に係るスイッチ装置１ｂとは異なり、その他の点は、上記第３の実施形態に係るスイッチ装置１ｂとほぼ同様に構成されており、ほぼ同様の効果を奏する。
【０１３３】
したがって、スイッチ装置１ｃのスペーサ４７、フィルム状部材４９は、第３の実施形態に係るスイッチ装置１ｂのものとほぼ同様なものが使用される。また、図１２〜図１５において、第３の実施形態に係るスイッチ装置１ｃと同様に構成されているものには、同じ符号を付してある。
【０１３４】
スイッチ装置１ｃについてより詳しく説明すると、上記スイッチ装置１ｃでは、上記第３の実施形態に係る第１の回路４３と同様に構成された回路５０が、所定の箇所で所定の長さにわたり、上記所定の箇所に直接対向している上記フィルム状基材４５の側面またはこの側面の近傍まで、幅方向に拡張されていることにより、矩形状の回路５１が形成され、この矩形状の回路５１と、上記回路５０とで、スイッチ装置１ｃの第１の回路５３が形成されている。
【０１３５】
スイッチ装置１ｃによれば、上記第１の回路５３が、所定の箇所で所定の長さにわたり、上記所定の箇所に直接対向している上記フィルム状基材４５の側面またはこの側面の近傍まで、幅方向に拡張されているので、上記第３の実施形態に係るスイッチ装置１ｂの効果に加えて、上記第１の回路５３が拡張されている部位で、上記第１の導通経路１５、上記第２の導通経路１９が一層断線しにくくなる。
【０１３６】
また、上記第１の回路５３は、一部の区間で幅広く形成されているので、総ての区間を幅広く形成する場合に比べ、銀の使用量を削減することができる。
【０１３７】
なお、図１４に破線で示すように、上記スペーサ４７に、上記拡張された第１の回路５３の回路５１に応じた形状の各切り欠き４７Ａ〜４７Ｃを設け、また、上記フィルム状部材４９にも同様の各切り欠き４９Ａ〜４９Ｃを設け、上記フィルム状基材４５に上記スペーサ４７と上記フィルム状部材４９とを設置した場合、上記拡張された第１の回路５３の回路５１の少なくとも一部が露出するようにしてもよい。
【０１３８】
このように、上記第１の回路５３の回路５１を露出させることによって、上記回路５１に静電気による火花が発生しやすくなるが、上記回路５１は、幅広に形成されているので、他の部位に比べて、火花に対する耐久性が高い。したがって、スイッチ装置１ｃの静電気に対する耐久性を高めることができる。
【０１３９】
［第５の実施形態］
図１６は、本発明の第５の実施形態に係るスイッチ装置１ｄの概略構成を示す図であり、図１７は、本発明の第５の実施形態に係るスイッチ装置１ｄに使用されるフィルム状基材５５の概略構成を示す図である。
【０１４０】
図１８は、図１７におけるＸＶＩＩＩＡ―ＸＶＩＩＩＢ断面を示す図である。
【０１４１】
スイッチ装置１ｄは、フィルム状基材５５に設けられている第１の回路の形態が、上記第１の実施形態に係るスイッチ装置１とは異なり、その他の点は、上記第１の実施形態に係るスイッチ装置１とほぼ同様に構成されており、ほぼ同様の効果を奏する。
【０１４２】
したがって、スイッチ装置１ｄのスペーサ、フィルム状部材は、第１の実施形態に係るスイッチ装置１と同じものが使用される。また、図１６、図１７において、第１の実施形態に係るスイッチ装置１のフィルム状基材５と同様に構成されているものには、同じ符号を付してある。
【０１４３】
スイッチ装置１ｄでは、上記第１の実施形態に係るスイッチ装置１に設けられている第１の回路２１、第２の回路２３の代わりに、上記第１の回路２１、第２の回路２３とは異なる形状の第１の回路５７、第２の回路５９が設けられている。
【０１４４】
第５の実施形態に係るスイッチ装置１ｄの上記第１の回路５７は、上記第１の端子部９側で上記フィルム状基材５の側面に沿って長く延びて形成されている。また、上記第１の回路５７は、上記第１の接点群１３の各接点部１３Ａ、１３Ｂ、上記第２の接点群１７の各接点部１７Ａ、１７Ｂ、上記第１の導通経路１５、上記第２の導通経路１９および上記第２の端子部１１から離れ、たとえば、上記フィルム状基材５５の上記フィルム状部材７側の面に形成されている。
【０１４５】
このように上記第１の回路５７が構成されていることにより、上記第１の回路５７は、上記第１の導通経路１５と並行した部位を備えている。
【０１４６】
第５の実施形態に係るスイッチ装置１ｄの上記第２の回路５９は、上記第２の端子部１１側で、上記フィルム状基材５の中心線ＣＬ１に対して上記第１の回路５７と対称に、上記フィルム状基材５の側面に沿って長く延びて形成されている。また、上記第２の回路５９は、上記第１の回路５７と同様に、上記各接点部１３Ａ、１３Ｂ、１７Ａ、１７Ｂ、上記各導通経路１５、１９および上記第１の端子部９から離れて形成されている。
【０１４７】
そして、上記第１の回路５７と上記第２の回路５９とが協働して、上記第１の接点群１３の各接点部１３Ａ、１３Ｂ、上記第２の接点群１７の各接点部１７Ａ、１７Ｂ、上記第１の導通経路１５および上記第２の導通経路１９をほぼ囲んでいる。
【０１４８】
また、上記第１の回路５７の一端部側が、上記第１の端子部９に電気的に接続されている。なお、上記第１の回路５７の一端部側が、上記第１の端子部９の近傍で上記第１の導通経路１５に電気的に接続されていてもよい。
【０１４９】
同様にして、上記第２の回路５９の一端部側が、上記第２の端子部１１に電気的に接続されている。
【０１５０】
なお、上記第１の回路５７の中間部と上記第１の導通経路１５とを、導通回路５７Ａで互いに電気的に接続し、同様に、上記第２の回路５９の中間部と上記第２の導通経路１９とを、導通回路５９Ａで互いに電気的に接続してもよい。このように構成することにより、上記第１の回路５７と上記第１の導通経路１５との間や、上記第２の回路５９と上記第２の導通経路１９との間での断線が起こりにくくなる。
【０１５１】
さらに、上記第１の回路５７の他端部側と上記第２の回路５９の他端部側とが、たとえば、上記フィルム状基材５の上記フィルム状部材７側の面に設けられた電気抵抗６１を介して、互いに電気的に接続されている。
【０１５２】
なお、上記第１の回路５７や上記第２の回路５９、上記導通回路５７Ａ、上記導通回路５９Ａも、第１の実施形態に係る上記第１の導通経路１５や上記第１の回路２１と同様に、上記フィルム状基材５５の表面にたとえば印刷によって薄く設けられた銀２５により構成されており、この銀２５の上に銀よりも抵抗値がはるかに大きいカーボン２７を薄く設けてある（図１８参照）。
【０１５３】
さらに、上記抵抗６１は、図１８に示すように、上記フィルム状基材５５の表面に、銀２５を設けることなく、カーボン２７のみを薄く設けたことによって形成されている。このように、カーボン２７のみで抵抗６１を形成すれば、別途工程を設けることなく抵抗６１を形成することができる。
【０１５４】
スイッチ装置１ｄによれば、上記第１の回路５７と上記第２の回路５９とが協働して、上記各接点部１３Ａ、１３Ｂ、１７Ａ、１７Ｂ、上記各導通経路１５、１９をほぼ囲んでいるので、第３の実施形態に係るスイッチ装置１ｂとほぼ同様の効果を得ることができる。
【０１５５】
また、スイッチ装置１ｄによれば、一端部側が上記第１の端子部９に電気的に接続されている第１の回路５７の他端部側と、一端部側が上記第２の端子部１１に電気的に接続されている第２の回路５９の他端部側とが、電気抵抗６１を介して互いに電気的に接続されているので、上記第１の端子部９と上記第２の端子部１１とが、上記電気抵抗６１を介して互いに電気的に接続されており、スイッチ装置１ｄの各端子部９、１１を他の電気機器に接続した場合、各接点をオンさせることなく、上記各端子部９、１１が上記他の電気機器に接続されていることや、上記各導通経路１５、１９や上記各回路５７、５９が断線しているか否かを容易に検出することができる。
【０１５６】
［第６の実施形態］
図１９は、本発明の第６の実施形態に係るスイッチ装置１ｅの概略構成を示す図であり、図２０は、図１９におけるＸＸＡ−ＸＸＢ断面を示す図である。
【０１５７】
図２１は、第６の実施形態に係るスイッチ装置１ｅを構成しているフィルム状基材６３の概略構成を示す図であり、図２２は、第６の実施形態に係るスイッチ装置１ｅを構成しているフィルム状部材６５の概略構成を示す図である。
【０１５８】
第６の実施形態に係るスイッチ装置１ｅは、フィルム状基材６３に設けられている各接点部、各導通経路および第１の回路の形態や、フィルム状部材６５に設けられている各接点部の形態が、上記第１の実施形態に係るスイッチ装置１とは異なり、その他の点は、上記第１の実施形態に係るスイッチ装置１とほぼ同様に構成されており、ほぼ同様の効果を奏する。
【０１５９】
スイッチ装置１ｅのスペーサは、第１の実施形態に係るスイッチ装置１と同じものが使用される。また、図１９〜図２１において、第１の実施形態に係るスイッチ装置１と同様に構成されているものには、同じ符号を付してある。
【０１６０】
スイッチ装置１ｅは、図２１に示すように、上記第１の実施形態に係るスイッチ装置１と同様に、第１の端子部９と第２の端子部１１とを備えている。
【０１６１】
上記フィルム状基材６３の上記フィルム状部材６５側の面には、互いが離れた適数の第１の接点部６７Ａ〜６７Ｄで構成された第１の接点群６７と、上記第１の各接点部６７Ａ〜６７Ｄに対応して上記第１の各接点部６７Ａ〜６７Ｄから僅かに離れて設けられた適数の第２の接点部６９Ａ〜６９Ｄで構成された第２の接点群６９が設けられている。
【０１６２】
さらに、上記フィルム状基材６３の上記フィルム状部材６５側の面には、上記第１の端子部９と上記第１の各接点部６７Ａ〜６７Ｄとを互いに電気的に接続している第１の導通経路７１が、細長く延びて設けられていると共に、上記第２の端子部１１と上記第２の各接点部６９Ａ〜６９Ｄとを互いに電気的に接続している第２の導通経路７３が、上記第１の導通経路７１から離れ細長く延びて設けられている。
【０１６３】
上記フィルム状基材６３の上記フィルム状部材６５側の面には、上記第１の導通経路７１または上記第１の端子部９と電気的に接続し、上記第１の導通経路７１と並行する部位を備えた第１の回路７５が、上記第１の導通経路７１とは別個に設けられていると共に、上記第２の導通経路７３または上記第２の端子部１１と電気的に接続し、上記第２の導通経路７３と並行する部位を備えた第１の回路７５が、上記第２の導通経路７３とは別個に設けられている。
【０１６４】
また、図２２に示すように、上記フィルム状部材６５の上記フィルム状基材６３側の面には、上記第１の各接点部６７Ａ〜６７Ｄと上記第２の各接点部６９Ａ〜６９Ｄとで構成された各接点対７９Ａ〜７９Ｄのそれぞれに対向して接触可能に設けられた第３の各接点部８１Ａ〜８１Ｄが設けられている。
【０１６５】
ここで、上記各接点部６７Ａ〜６７Ｄ、６９Ａ〜６９Ｄ、上記各導通経路７１、７３、上記第１の回路７５、上記第２の回路７７について、図２１を参照して、より詳しく説明する。
【０１６６】
上記各接点部６７Ａ〜６７Ｄ、６９Ａ〜６９Ｄで構成される上記各接点対７９Ａ〜７９Ｄは、上記第１の実施形態に係るスイッチ装置１の各接点部１３Ａ、１３Ｂ、１７Ａ、１７Ｂに対応した位置に設けられていると共に、上記第１の各接点部６７Ａ〜６７Ｄが、上記第２の各接点部６９Ａ〜６９Ｄの内側に配置されている。換言すれば、上記中間部位５Ｂの延伸方向（図２１の左右方向）で、上記第２の各接点部６９Ａ〜６９Ｄの内側に、上記第１の各接点部６７Ａ〜６７Ｄが配置されている。
【０１６７】
また、上記第１の導通経路７１は、上記第１の端子部９から上記中間部位５Ｂのところまで、上記基端部側部位５Ａの延伸方向に沿って長く延びており、上記中間部位５Ｂのところで２つに枝分れしている。
【０１６８】
そして、上記枝分れした一方の部位が上記中間部位５Ｂの延伸方向に沿って、上記第１の先端部側部位５Ｃのところまで長く延びており、さらに、上記第１の先端部側部位５Ｃのところで２つに枝分れしている。
【０１６９】
そして、上記枝分れした一方の部位が上記第１の先端部側部位５Ｃの延伸方向に沿って、上記第１の接点部６７Ａまで延伸している。また、上記枝分れした他方の部位が、上記第１の先端部側部位５Ｃの延伸方向に沿って、上記第１の接点部６７Ｂまで延伸している。
【０１７０】
同様にして、上記中間部位５Ｂのところで、枝分れした他方の部位が、上記第２の先端部側部位５Ｄのところまで長く延びており、さらに、上記第２の先端部側部位５Ｄのところで２つに枝分れし、上記第１の各接点部６７Ｃ、６７Ｄのところまで延伸している。
【０１７１】
また、上記第２の導通経路７３は、上記第２の端子部１１から上記中間部位５Ｂのところまで、上記基端部側部位５Ａの延伸方向に沿って長く延びており、上記中間部位５Ｂのところよりも先端部側では、上記第２の導通経路７３は、上記中間部位５Ｂの側面（上記基端部側部位５Ａ側であって上記第２の先端部側部位５Ｄ側に位置した側面）、上記第２の先端部側部位５Ｄの側面、上記中間部位５Ｂの側面（上記基端部側部位５Ａとは反対側に位置している側面）、上記第１の先端部側部位５Ｃの側面の各側面に沿って、適宜折れ曲がり長く延伸している。そして、上記第２の導通経路７３は、上記延伸している中間部や先端部側で適宜枝分れし、上記第２の各接点部６９Ａ〜６９Ｄに接続している。
【０１７２】
上記第１の回路７５は、上記第１の実施形態に係るスイッチ装置１とほぼ同様に、第１の部位（上記第１の導通経路７１のうちの所定の部位である第１導通経路所定部位に沿って長く延びて形成されたことによって上記第１の導通経路７１と並行している部位）７５Ａを備えていると共に、上記第１の部位７５Ａと上記第１の導通経路７１とを互いに電気的に接続している第２の部位７５Ｂを備えている。
【０１７３】
また、上記第２の回路７７も、上記第１の回路７５と同様に、上記第２の導通経路７３の所定の部位と並行している第３の部位７７Ａと、この第３の部位７７Ａと上記第２の導通経路７３とを互いにつないでいる第４の部位７７Ｂとを備えている。
【０１７４】
ここで、上記第１の部位７５Ａ、上記第３の部位７７Ａについてさらに詳しく説明すると、上記第１の部位７５Ａは、たとえば、上記第１の導通経路７１のうちで、上記基端部側部位５Ａに沿って延伸している部位に並行に延伸して設けられている。また、上記第３の部位７７Ａは、上記第２の導通経路７３のうちで、上記基端部側部位５Ａに沿って延伸している部位や、上記第２の先端部側部位５Ｄに沿って延伸している部位や、上記基端部側部位５Ａの反対側で上記中間部位５Ｂに沿って延伸している部位や、上記第１の先端部側部位５Ｃに沿って延伸している部位に並行に延伸して設けられている。
【０１７５】
なお、上記各接点部６７Ａ〜６７Ｄ、６９Ａ〜６９Ｄ、８１Ａ〜８１Ｄ、上記各導通経路７１、７３、上記各回路７５、７７も、第１の実施形態に係る上記第１の導通経路１５や上記第１の回路２１と同様に、上記フィルム状基材６３の表面にたとえば印刷によって薄く設けられた銀によって構成されている。この銀の上にカーボンを薄く設けてある（図１０参照）。
【０１７６】
また、第６の実施形態に係るスイッチ装置１ｅにおいて、上記各回路７５、７７の代わりに、上記第２の実施形態に係るスイッチ装置１ａの各回路３７、３９のような回路を設けてもよい。
【０１７７】
すなわち、スイッチ装置１ｅにおいて、上記第１の導通経路７１を、この所定の箇所で所定の長さにわたり幅方向に拡張して、上記第１の回路７５に相当する回路を形成し、同様に、上記第２の導通経路７３を、この所定の箇所で所定の長さにわたり幅方向に拡張して、上記第２の回路７７に相当する回路を形成してもよい。
【０１７８】
また、第６の実施形態に係るスイッチ装置１ｅにおいて、上記各回路７５、７７の代わりに、上記第３の実施形態に係るスイッチ装置１ｂの回路４３のような回路を設けてもよい。
【０１７９】
すなわち、スイッチ装置１ｅにおいて、上記各接点部６７Ａ〜６７Ｄ、６９Ａ〜６９Ｄ、上記各導通経路７１、７３をほぼ囲むように、上記フィルム状基材６３の側面に沿って長く延びて形成されている回路を設けてもよい。さらに、上記第４の実施形態に係るスイッチ装置１ｃの回路５３のような回路を設けてもよい。
【０１８０】
また、第６の実施形態に係るスイッチ装置１ｅにおいて、上記各回路７５、７７の代わりに、上記第５の実施形態に係るスイッチ装置１ｄの回路５７、５９、抵抗６１と同様な、回路や抵抗を設けてもよい。
【０１８１】
すなわち、第６の実施形態に係るスイッチ装置１ｅにおいて、上記第１の端子部９側で上記フィルム状基材６３の側面に沿って長く延びて形成された第１の回路と、上記第２の端子部１１側で上記フィルム状基材６３の側面に沿って長く延びて形成された第２の回路とを備え、上記第１の回路と上記第２の回路とが協働して、上記各接点部６７Ａ〜６７Ｄ、６９Ａ〜６９Ｄ、上記各導通経路７１、７３をほぼ囲むようにし、上記第１の回路の一端部側が、上記第１の端子部９に電気的に接続されており、上記第２の回路の一端部側が、上記第２の端子部１１に電気的に接続されていると共に、上記第１の回路の他端部側と上記第２の回路の他端部側とが、電気抵抗を介して、互いに電気的に接続されている構成にしてもよい。
【０１８２】
上述したような各変更を適宜加えることにより、上記各変更に応じた効果（上記第２の実施形態〜上記第５の実施形態に係る各スイッチ装置と同様の効果）を得ることができる。
【０１８３】
［第７の実施形態］
図２３は、本発明の第７の実施形態に係るスイッチ装置１ｆの概略構成を示す図であり、図２４は、図２３におけるＸＸＩＶＡ−ＸＸＩＶＢ断面を示す図である。
【０１８４】
また、図２５は、本発明の第７の実施形態に係るスイッチ装置１ｆに使用されるフィルム状基材８３の概略構成を示す図であり、図２６は、フィルム状部材８５の概略構成を示す図である。
【０１８５】
スイッチ装置１ｆは、フィルム状部材８５に設けられている第１の回路８７の形態が、上記第１の実施形態に係るスイッチ装置１とは異なり、その他の点は、上記第１の実施形態に係るスイッチ装置１とほぼ同様に構成されており、ほぼ同様の効果を奏する。
【０１８６】
したがって、スイッチ装置１ｆのスペーサは、第１の実施形態に係るスイッチ装置１と同じものが使用される。また、図２３〜図２６において、第１の実施形態に係るスイッチ装置１と同様に構成されているものには、同じ符号を付してある。
【０１８７】
スイッチ装置１ｆでは、上記第１の実施形態に係るスイッチ装置１に設けられている第１の回路２１、第２の回路２３の代わりに、上記第１の回路２１、第２の回路２３とは異なる形態の第１の回路８７が設けられている。
【０１８８】
すなわち、第７の実施形態に係るスイッチ装置１ｆでは、上記第１の回路８７は、上記フィルム状部材８５の外側の面（上記フィルム状基材８３とは反対側に位置している面）に設けられていると共に、上記スイッチ装置１ｆの厚さ方向から眺めた場合、上記第１の回路８７は、上記各接点部１３Ａ、１３Ｂ、１７Ａ、１７Ｂ、２９Ａ、２９Ｂ、３１Ａ、３１Ｂおよび上記各導通経路１５、１９、３３が内側に位置するような形状に形成されている。また、上記第１の回路８７は、図示しない導通回路を介して、上記第１の導通経路１５または上記第１の端子部９に電気的に接続されている。
【０１８９】
ここで、上記第１の回路８７についてより詳しく説明する。
【０１９０】
上記第１の回路８７は、図２４に示すように、第１の実施形態に係る上記第１の導通経路１５や上記第１の回路２１と同様に、上記フィルム状部材８５の表面にたとえば印刷によって薄く設けられた銀によって構成されている。この銀２５の上にカーボン２７を薄く設けてある（図１０参照）。
【０１９１】
また、第１の回路８７の銀２５は、上記フィルム状部材８５の側面と並行に長く延びて環状に形成されており、この環状に形成されている銀２５を覆うように、環状のカーボン２７が設けられている。上記カーボン２７の幅は、上記銀２５の幅よりも僅かに広くなっている。
【０１９２】
なお、上記第１の回路８７の形態を適宜変更してもよい。
【０１９３】
図２７、図２８は、上記第１の回路８７の形態を変更した場合を示す図であり、図２４に対応する図である。
【０１９４】
すなわち、図２７に示すように、銀２５を、上記フィルム状部材８５の外形形状よりも僅かに小さい外形形状に形成し、上記フィルム状部材８５の側面から一定の間隔をあけて配置し、さらに、上記銀２５の総てを覆うように、カーボン２７を設けてもよい。なお、上記カーボン２７の外形形状は、上記銀２５の外径形状よりも僅かに大きく形成されている。
【０１９５】
また、図２８に示すように、上記フィルム状部材８５の側面と並行に長く延びて環状に銀２５を形成し、上記フィルム状部材８５の外形形状よりも僅かに小さい形状に形成された板状のカーボン２７で、上記銀２５を覆うようにしてもよい。
【０１９６】
さらに、上記第１の回路８７を、上記フィルム状部材８５の表面に、アルＰＥＴ等の導電性フィルムを貼り付けて積層することにより構成してもよい。
【０１９７】
スイッチ装置１ｆによれば、上記第１の回路８７が、上記フィルム状部材８５の外側の面に設けられていると共に、上記スイッチ装置１ｆの厚さ方向から眺めた場合、上記第１の回路８７は、上記各接点部１３Ａ、１３Ｂ、１７Ａ、１７Ｂ、２９Ａ、２９Ｂ、３１Ａ、３１Ｂおよび上記各導通経路１５、１９、３３が内側に位置するような形状に形成されているので、上記第３の実施形態に係るスイッチ装置１ｂと同様に、静電気による電流によって、上記各接点部や上記各導通経路が破損することを防止することができる。
【０１９８】
さらに、スイッチ装置１ｆによれば、上記第１の回路８７が、上記各導通経路１５、１９、３３や各接点部１３Ａ、１３Ｂ、１７Ａ、１７Ｂ、２９Ａ、２９Ｂ、３１Ａ、３１Ｂが設けられている面とは異なる面に設けられているので、たとえは、フィルム状基材８３の側面と第１の導通経路１５との間に上記第１の回路８７を設ける必要がなく、上記フィルム状基材８３の側面と上記第１の導通経路１５との間の距離を小さくすることができ、厚さ方向から眺めたときのスイッチ装置１ｆの大きさを小さくすることができる。
【０１９９】
［第８の実施形態］
図２９は、本発明の第８の実施形態に係るスイッチ装置１ｇの概略構成を示す図である。
【０２００】
図３０は、第８の実施形態に係るスイッチ装置１ｇを構成しているフィルム状基材８９の概略構成を示す図であり、図３１は、第８の実施形態に係るスイッチ装置１ｇを構成しているフィルム状部材９１の概略構成を示す図である。
【０２０１】
第８の実施形態に係るスイッチ装置１ｇは、フィルム状基材８９に設けられている各接点部、導通経路および第１の回路の形態や、フィルム状部材９１に設けられている各接点部、導通経路および第２の端子部の形態が、上記第１の実施形態に係るスイッチ装置１とは異なり、その他の点は、上記第１の実施形態に係るスイッチ装置１とほぼ同様に構成されており、ほぼ同様の効果を奏する。
【０２０２】
スイッチ装置１ｇのスペーサは、第１の実施形態に係るスイッチ装置１と同じものが使用される。また、図２９、図３０において、第１の実施形態に係るスイッチ装置１とほぼ同様に構成されているものには、同じ符号を付してある。
【０２０３】
スイッチ装置１ｇを構成しているフィルム状基材８９のフィルム状部材９１側の面には、第１の端子部９と、適数の第１の接点部９３Ａ〜９３Ｄにより構成された第１の接点群９３と、上記第１の端子部９と上記第１の各接点部９３Ａ〜９３Ｄとを互いに電気的に接続している第１の導通経路９５とが設けられている。
【０２０４】
また、スイッチ装置１ｇを構成しているフィルム状部材９１のフィルム状基材８９側の面には、第２の端子部９７と、適数の第２の接点部９９Ａ〜９９Ｄにより構成された第２の接点群９９と、上記第２の端子部９７と上記第２の各接点部９９Ａ〜９９Ｄとを互いに電気的に接続している第２の導通経路１０１が設けられている。
【０２０５】
なお、上記フィルム状基材８９、上記スペーサ３（図６参照）、上記フィルム状部材９１を互いに順に重ね合わせた場合、上記フィルム状基材８９に設けられた上記第１の各接点部９３Ａ〜９３Ｄと、上記フィルム状部材９１に設けられた上記第２の各接点部９９Ａ〜９９Ｄとが互いに対向するようになっている。
【０２０６】
また、上記各接点部９３Ａ〜９３Ｄ、９９Ａ〜９９Ｄの対応した上記スペーサ３の部位には、各貫通孔２８Ａ〜２８Ｄが設けられており、上記スイッチ装置１ｇが撓むことにより、上記第１の各接点部９３Ａ〜９３Ｄのそれぞれと、上記第２の各接点部９９Ａ〜９９Ｄのそれぞれとが互いに接触し、上記第１の端子部９と第２の端子部９７とが互いに電気的の接続するようになっている。
【０２０７】
上記各接点部９３Ａ〜９３Ｄ、９９Ａ〜９９Ｄは、上記第１の実施形態に係るスイッチ装置１の各接点部１３Ａ、１３Ｂ、１７Ａ、１７Ｂ、２９Ａ、２９Ｂ、３１Ａ、３１Ｂに対応したところに配置されていると共に、上記第１の導通経路９５や上記第２の導通経路１０１は、上記第６の実施形態に係るスイッチ装置１ｅの導通経路７１とほぼ同じ形状に形成されている。
【０２０８】
また、第１の実施形態〜上記第４の実施形態に係るスイッチ装置と同様に、上記フィルム状基材８９の上記フィルム状部材９１側の面には、上記第１の導通経路９５または上記第１の端子部９と電気的に接続し、上記第１の導通経路９５と並行する部位を備えた回路１０３が、上記第１の導通経路９５とは別個に設けられている。
【０２０９】
ここで、上記回路１０３について例を掲げ詳しく説明すると、上記回路１０３は、上記第３の実施形態に係るスイッチ装置１ｂの第１の回路４３とほぼ同様に、上記第１の各接点部９３Ａ〜９３Ｄと上記第１の導通経路９５とを囲むように、細長く延び還状に形成されて設けられている。
【０２１０】
上記回路１０３の一端部が、上記第１の端子部９または上記第１の端子部９の近傍で上記第１の導通経路に、電気的に接続している。さらに、上記回路１０３の他端部が、上記第１の端子部９に接続していてもよい。
【０２１１】
また、上記回路１０３が、この中間部において、導通経路１０５を介して、上記第１の導通経路９５に電気的に接続していてもよい。
【０２１２】
なお、上記各接点部９３Ａ〜９３Ｄ、９９Ａ〜９９Ｄ、上記各導通経路９５、１０１、上記回路１０３も、第１の実施形態に係る上記第１の導通経路１５や上記第１の回路２１と同様に、上記フィルム状基材８９の表面にたとえば印刷によって薄く設けられた銀により構成されている。この銀の上に、カーボン２７を薄く設けてある（図１０参照）。
【０２１３】
スイッチ装置１ｇによれば、上記第３の実施形態に係るスイッチ装置１ｂの第１の回路４３とほぼ同様に、上記第１の各接点部９３Ａ〜９３Ｄと上記第１の導通経路９５とを囲むように、上記回路１０３が設けられているので、上記第３の実施形態に係るスイッチ装置１ｂとほぼ同様の効果を奏する。
【０２１４】
さらに、上記回路１０３と同様な回路を、上記フィルム状部材９１に設けてもよい。
【０２１５】
また、上記回路１０３に代えて、上記第１の実施形態に係るスイッチ装置１の回路２１と同様な回路１０７（図３０に破線で示した回路）や、上記第２の実施形態に係るスイッチ装置１ａの回路３７、３９と同様な回路１０９（図３０に破線で示した回路）を設けてもよい。
【０２１６】
［第９の実施形態］
図３２は、本発明の第９の実施形態に係るスイッチ装置１ｈの概略構成を示す図であり、図３３は、第９の実施形態に係るスイッチ装置１ｈを構成しているフィルム状基材１１１の概略構成を示す図である。
【０２１７】
図３４は、第９の実施形態に係るスイッチ装置１ｈを構成しているスペーサ１１３の概略構成を示す図であり、図３５は、第９の実施形態に係るスイッチ装置１ｈを構成しているフィルム状部材１１５の概略構成を示す図である。
【０２１８】
上記第４の実施形態に係るスイッチ装置１ｃとほぼ同様に、第９の実施形態に係るスイッチ装置１ｇでは、上記第８の実施形態に係る回路１０３と同様に形成された回路１１７に別の回路１１９を加えたことにより、第９の実施形態に係る回路１２１が形成されている点が、上記第８の実施形態に係るスイッチ装置１ｇとは異なり、その他の点は、上記第８の実施形態に係るスイッチ装置１ｇとほぼ同様に構成されており、ほぼ同様の効果を奏する。
【０２１９】
したがって、スイッチ装置１ｈのスペーサ１１３、フィルム状部材１１５は、第８の実施形態に係るスイッチ装置１ｇのものとほぼ同様なものが使用される。また、図３２〜図３５において、第８の実施形態に係るスイッチ装置１ｇと同様に構成されているものには、同じ符号を付してある。
【０２２０】
スイッチ装置１ｈについてより詳しく説明すると、上記スイッチ装置１ｈでは、上記第８の実施形態に係る回路１０３と同様に構成された回路１１７が、所定の箇所で所定の長さにわたり上記所定の箇所に直接対向している上記フィルム状基材１１１の側面またはこの側面の近傍まで、幅方向に拡張されていることにより、矩形状の回路１１９が形成され、この矩形状の回路１１９と、上記第８の実施形態に係る回路１０３と同様に構成された回路１１７とで、スイッチ装置１ｈの回路１２１が形成されている。
【０２２１】
スイッチ装置１ｈによれば、上記回路１０３が、所定の箇所で所定の長さにわたり、上記所定の箇所に直接対向している上記フィルム状基材１１１の側面またはこの側面の近傍まで、幅方向に拡張されているので、上記第８の実施形態に係るスイッチ装置１ｇの効果に加えて、上記第４の実施形態に係るスイッチ装置１ｃとほぼ同様に、上記回路１２１が拡張されている部位で、上記第１の導通経路９５、上記第２の導通経路１０１が一層断線しにくくなる。
【０２２２】
なお、上記第４の実施形態に係るスイッチ装置１ｃとほぼ同様に、上記スペーサ１１３に、上記拡張された第１の回路１２１の回路１１９に応じた形状の各切り欠き１２３Ａ〜１２３Ｃを設け（図３４参照）、また、上記フィルム状部材１１５にも同様の各切り欠き１２５Ａ〜１２５Ｃを設け（図３５参照）、上記フィルム状基材１１１に上記スペーサ１１３と上記フィルム状部材１１５とを設置した場合、上記拡張された第１の回路１２１の回路１１９の少なくとも一部が露出するようにしてもよい。
【０２２３】
［第１０の実施形態］
図３６は、本発明の第１０の実施形態に係るスイッチ装置１ｉの概略構成を示す図である。
【０２２４】
図３７は、第１０の実施形態に係るスイッチ装置１ｉを構成しているフィルム状基材１２７の概略構成を示す図であり、図３８は、第１０の実施形態に係るスイッチ装置１ｉを構成しているフィルム状部材１２９の概略構成を示す図である。
【０２２５】
第１０の実施形態に係るスイッチ装置１ｉは、回路１３１が上記第７の実施形態に係るスイッチ装置１ｆの回路８７と同様に構成されている点が、上記第８の実施形態に係るスイッチ装置１ｇとは異なり、その他の点は、上記第８の実施形態に係るスイッチ装置１ｇとほぼ同様に構成されており、ほぼ同様の効果を奏する。
【０２２６】
スイッチ装置１ｉのスペーサは、第８の実施形態に係るスイッチ装置１ｇと同じものが使用される。また、図３６〜図３８において、第８の実施形態に係るスイッチ装置１ｇとほぼ同様に構成されているものには、同じ符号を付してある。
【０２２７】
スイッチ装置１ｉでは、上記第７の実施形態に係るスイッチ装置１ｆと同様に、上記フィルム状部材１２９の外側の面に（上記フィルム状基材１２７の外側の面でもよい）、上記第７の実施形態に係るスイッチ装置１ｆの回路８７と同様な回路１３１が設けられている。
【０２２８】
上記スイッチ装置１ｉの厚さ方向から眺めた場合、上記回路１３１は、上記各接点部９３Ａ〜９３Ｄ、９９Ａ〜９９Ｄおよび上記各導通経路９５、１０１が内側に位置するような形状に形成されている。
【０２２９】
スイッチ装置１ｉによれば、上記各接点部９３Ａ〜９３Ｄ、９９Ａ〜９９Ｄおよび上記各導通経路９５、１０１が上記回路１３１の内側に位置しているので、上記第７の実施形態に係るスイッチ装置１ｆとほぼ同様の効果を奏する。
【０２３０】
［第１１の実施形態］
図３９は、本発明の第１１の実施形態に係るスイッチ装置１４１の概略構成を示す図であり、図４０は、図３９におけるＸＬＡ−ＸＬＢ断面を示す図である。
【０２３１】
図４１は、スイッチ装置１４１を構成しているフィルム状基材１４３の概略構成を示す図であり、図４２は、図４１におけるＸＬＩＩＡ−ＸＬＩＩＢ断面を示す図である。
【０２３２】
図４３は、上記スイッチ装置１４１を構成しているスペーサ１４５の概略構成を示す図であり、図４４は、スイッチ装置１４１を構成しているフィルム状部材１４７概略構成を示す図である。
【０２３３】
上記スイッチ装置１４１は、上記第１の実施形態に係るスイッチ装置１と同様に、可撓性を備え絶縁体で構成されたフィルム状のスペーサ１４５（図４３参照）を間にして、このスペーサ１４５の面に可撓性を備え絶縁体で構成されたフィルム状基材１４３（図４１参照）を配置し、上記スペーサ１４５の他方の面に可撓性を備え絶縁体で構成されたフィルム状部材１４７（図４４参照）を配置して構成されている（図４０参照）。
【０２３４】
上記フィルム状基材１４３は、細長く延びてたとえば矩形状に形成されており、上記フィルム状基材１４３の一端部であって上記フィルム状部材１４７側の面には、第１の接点部１４９が設けられている。
【０２３５】
上記第１の接点部１４９からは、第１の導通経路１５２が、上記フィルム状基材１４３の幅方向の一端部側で上記フィルム状基材１４３の他端部側に向かって延出している。上記第１の導通経路１５２は、上記フィルム状基材１４３の上記フィルム状部材１４７側の面に設けられている。
【０２３６】
上記フィルム状部材１４７も、上記フィルム状基材１４３と同様に、細長く延びて上記フィルム状基材１４３と同じ外形形状に形成されており、上記フィルム状部材１４７の一端部であって上記フィルム状基材１４３側の面には、第２の接点部１５１が設けられている。上記スイッチ装置１４１において、上記第２の接点部１５１は、上記第１の接点部１４９と対向するようになっている。
【０２３７】
また、上記第２の接点部１５１からは、第２の導通経路１５３が、上記フィルム状部材１４７の幅方向の一端部側で上記フィルム状基材１４３の他端部側に向かって延出している。上記第２の導通経路１５３は、上記フィルム状部材１４７の上記フィルム状基材１４３側の面に設けられている。
【０２３８】
さらに、図３９に示すように、上記スイッチ装置１４１においては、上記第１の導通経路１５２が、上記スイッチ装置１４１の幅方向の一端部側で延伸しており、上記第２の導通経路１５３が、上記スイッチ装置１４１の幅方向の他端部側で延伸している。
【０２３９】
また、上記延出している各導通経路の各先端部には、第１の実施形態に係るスイッチ装置１と同様に、第１の端子部、第２の端子部（いずれも図示せず）がそれぞれ設けられている。
【０２４０】
上記第１の接点部１４９と上記第２の接点部１５１とに対応した上記スペーサ１４５の部位には、上記スペーサ１４５の厚さ方向を貫通するように第１の貫通孔１５５が設けられている。そして上記スイッチ装置１４１が撓んだときに、上記第１の接点部１４９と上記第２の接点部１５１とが互いに接触可能になっている。上記スペーサ１４５の外形は、上記フィルム状基材１４３の外形と同じ外形形状になっている。
【０２４１】
上記スイッチ装置１４１において、上記第１の貫通孔１５５が設けられている位置とは異なる位置には、たとえば、上記スペーサ１４５の他端部側（上記第１の貫通孔１５５が設けられている側とは反対側）の、上記フィルム状基材１４３の部位には、上記フィルム状基材１４３の厚さ方向を貫通するように、第２の小さな貫通孔１５７が設けられている。
【０２４２】
なお、上記第２の貫通孔１５７は、上記フィルム状基材１４３の幅方向のほぼ中央部に設けられているので、上記第２の貫通孔１５７は、上記第１の導通経路１５２と上記第２の導通経路１５３との間に位置している。
【０２４３】
上記スペーサ１４５には、一端部側が上記第１の貫通孔１５５に接続され他端部側が上記第２の貫通孔１５７が設けられている部位まで延伸している細長い切り欠き１５９が設けられている。なお上記切り欠き１５９は、上記スペーサ１４５の厚さ方向を貫通している。
【０２４４】
上記切り欠き１５９と上記第２の貫通孔１５７とによって、上記第１の貫通孔１５５により上記スイッチ装置１４１の内部に形成された空間ＳＰ１（図４０参照）が、上記スイッチ装置１４１の外部とつながっており、上記空間ＳＰ１にスイッチ装置１の外部から空気が出入りするようになっている。
【０２４５】
また、上記スイッチ装置１４１の厚さ方向から眺めた場合、上記第２の貫通孔１５７が内側に位置するように形成され配置された回路１６１を上記スイッチ装置１４１が備えている。
【０２４６】
上記回路１６１は、たとえば、リング状に形成され、上記フィルム状基材１４３の上記フィルム状部材１４７側の面で、上記第２貫通孔１５７を囲むように設けられている。また、上記回路１６１は、導通経路１６３を介して上記第１の導通経路１５２に電気的に接続されている。
【０２４７】
なお、上記各接点部１４９、１５１、上記各導通経路１５２、１５３、１６３、上記回路１６１は、第１の実施形態に係る上記第１の導通経路１５や上記第１の回路２１と同様に、上記フィルム状基材１４３の表面にたとえば印刷によって薄く設けられた銀２５によって構成され、この銀２５の上に、カーボン２７を薄く設けてある（図４２参照）。
【０２４８】
スイッチ装置１４１によれば、上記第２の貫通孔１５７が内側に位置するように、上記回路１６１が設けられているので、静電気による過大な電流が、上記第２の貫通孔から上記スイッチ装置１の内部へ流れることを防ぐことができ、上記第１の実施形態に係るスイッチ装置１と同様に、上記スイッチ装置の導通経路等の破損を防ぐことができる。
【０２４９】
ところで、上記スイッチ装置１４１において、図４５に示すように、上記回路１６１とほぼ同じ外形を備えていると共に、上記第２の貫通孔１５７を囲むように配置された回路１６１ａを、上記フィルム状部材１４７のフィルム状基材１４３側の面に設け、上記回路１６１ａを上記第２の導通経路１５３に導通経路１６３ａを介して電気的に接続してもよい。
【０２５０】
［第１２の実施形態］
図４６は、本発明の第１２の実施形態に係るスイッチ装置１４１ａの概略構成を示す図であり、図４７は、図４６におけるＸＬＶＩＩＡ−ＸＬＶＩＩＢ断面を示す図である。
【０２５１】
図４８は、第１２の実施形態に係るスイッチ装置１４１ａを構成しているフィルム状基材１６５の概略構成を示す図であり、図４９は、第１２の実施形態に係るスイッチ装置１４１ａを構成しているフィルム状部材１６７の概略構成を示す図である。
【０２５２】
第１２の実施形態に係るスイッチ装置１４１ａは、フィルム状基材１６５に設けられている各接点部、各導通経路および回路の形態や、フィルム状部材１６７に設けられている各接点部の形態が、上記第１１の実施形態に係るスイッチ装置１４１とは異なり、その他の点は、上記第１１の実施形態に係るスイッチ装置１４１とほぼ同様に構成されており、ほぼ同様の効果を奏する。
【０２５３】
スイッチ装置１４１ａのスペーサは、第１１の実施形態に係るスイッチ装置１４１と同じものが使用される。また、図４６〜図４９において、第１の実施形態に係るスイッチ装置１４１と同様に構成されているものには、同じ符号を付してある。
【０２５４】
スイッチ装置１４１ａにおける上記フィルム状基材１６５の上記フィルム状部材１６７側の面には、第１の接点部１６９と、この第１の接点部１６９に対応して上記第１の各接点部１６９から僅かに離れて設けられた第２の接点部１７１とが設けられている。
【０２５５】
第１の接点部１６９からは、第１の導通経路１７３が、上記フィルム状基材１６５の幅方向の一端部側で上記フィルム状基材１６５の他端部側に向かって延出している。また、第２の接点部１７１からは、第２の導通経路１７５が、上記フィルム状基材１６５の幅方向の他端部側で上記フィルム状基材１６５の他端部側に向かって延出している。
【０２５６】
上記フィルム状部材１６７の上記フィルム状基材１６５側の面には、上記第１の接点部１６９と上記第２の接点部１７１とで構成された接点対に対向して第３の接点部１５１が設けられている。
【０２５７】
また、図４３に示すように、上記接点対と第３の接点部１５１とは、上記スイッチ装置１４１ａが撓んだときに、上記スペーサ１４５に設けられた第１の貫通孔１５５を介して、互いに接触可能になっている。
【０２５８】
上記フィルム状基材１６５には、上記第１の実施形態に係るスイッチ装置１４１のフィルム状基材１４３に設けた貫通孔１５７と同じ第２の貫通孔が設けられていると共に、上記フィルム状基材１６５の上記フィルム状部材１６７側の面には、上記第１１の実施形態に係るスイッチ装置１４１に設けた回路１６１と同様な回路が設けられている。
【０２５９】
［第１３の実施形態］
図５０は、本発明の第１３の実施形態に係るスイッチ装置１４１ｂの概略構成を示す図であり、図５１は、第１３の実施形態に係るスイッチ装置１４１ｂを構成しているフィルム状基材１８３の概略構成を示す図である。
【０２６０】
図５２は、図５１におけるＬＩＩＡ−ＬＩＩＢ断面を示す図であり、図５３は、第１３の実施形態に係るスイッチ装置１４１ｂを構成しているフィルム状部材１８５の概略構成を示す図である。
【０２６１】
第１３の実施形態に係るスイッチ装置１４１ｂは、上記第１２の実施形態に係る回路１６１に相当する回路１８７や、上記第１２の実施形態に係る第２の貫通孔１５７に相当する第２の貫通孔１８９の設置位置が、上記第１２の実施形態に係るスイッチ装置１４１ａとは異なり、その他の点は、上記第１２の実施形態に係るスイッチ装置１４１ａとほぼ同様に構成されており、ほぼ同様の効果を奏する。
【０２６２】
スイッチ装置１４１ｂのスペーサは、第１２の実施形態に係るスイッチ装置１４１ａと同じものが使用される。また、図５０〜図５３において、第１２の実施形態に係るスイッチ装置１４１ａと同様に構成されているものには、同じ符号を付してある。
【０２６３】
スイッチ装置１４１ｂにおける上記フィルム状基材１８３の上記フィルム状部材１８５側の面には、上記第１２の実施形態の場合と同様に、第１の接点部１６９、第２の接点部１７１、第１の導通経路１７３、第２の導通経路１７５が設けられている。
【０２６４】
また、上記フィルム状部材１８５の上記フィルム状基材１８３側の面には、上記第１２の実施形態と同様に、第３の接点部１５１が設けられている。
【０２６５】
また、スイッチ装置１４１ｂでは、上記第１２の実施形態に係る第２の貫通孔１５７に相当する第２の貫通孔１８９が、上記フィルム状部材１８５に設けられていると共に、上記第１２の実施形態に係る回路１６１に相当する円形状の回路１８７が、上記フィルム状基材１８３の上記フィルム状部材１８５側の面に設けられている。
【０２６６】
なお、すでに理解されるように、上記スイッチ装置１４１ｂの厚さ方向から眺めた場合、上記回路１８７が、上記第２の貫通孔１８９を囲んでおり、上記第２の貫通孔１８９が上記回路１８７の内側に位置している。
【０２６７】
上記回路１８７は、上記第５の実施形態に係るスイッチ装置１ｄと同様に、上記フィルム状基材１８３の表面に形成されたカーボン２７により構成されていることにより（図５２参照）抵抗回路を形成している。
【０２６８】
また、上記抵抗回路１８７の一端部側は、導通経路１９１を介して上記第１の導通経路１７３に電気的に接続され、また、他端部側は、導通経路１９３を介して上記第２の導通経路１７５に電気的に接続されている。
【０２６９】
スイッチ装置１４１ｂによれば、上記抵抗回路１８７の一端部側が上記第１の導通経路１７３に電気的に接続され、上記抵抗回路１８７の他端部側が上記第２の導通経路１７５に電気的に接続されているので、上記第５の実施形態に係るスイッチ装置１ｄと同様に、スイッチ装置１４１ｂの各端子部（図示せず）が他の電気機器に接続されていることや、上記各導通経路１７３、１７５が断線しているか否かを容易に検出することができる。
【０２７０】
ところで、上記スイッチ装置１４１ｂにおいて、上記第２の貫通孔１８９の代わりに、図５４に示すように、上記フィルム状基材１８３に、上記第２の貫通孔１８９と同様な第２の貫通孔１９５を設けてもよい。なお、第２の貫通孔１９５は、上記回路１８７の中央部にあけられている。したがって、上記回路１８７の抵抗回路としての機能や静電気をせき止める機能は、維持されている。
【０２７１】
なお、上記各実施形態に係るスイッチ装置に適宜変更を加えてもよい。
【０２７２】
すなわち、フィルム状のスペーサを間にして、このスペーサの一方の面にフィルム状基材を配置し、上記スペーサの他方の面にフィルム状部材を配置して構成されているフィルム状のスイッチ装置において、上記スイッチ装置に設けられた第１の端子部と、上記第１の端子部から離れて上記スイッチ装置に設けられた第２の端子部と、上記フィルム状基材の上記フィルム状部材側の面に設けられた第１の接点部と、上記フィルム状部材の上記フィルム状基材側の面に上記第１の接点部と対向して接触可能に設けられた第２の接点部と、上記第１の接点部および上記第２の接点部に対応して上記スペーサに設けられた貫通孔と、上記第１の接点部と上記第１の端子部とを互いに電気的に接続している導通経路と、静電気による上記導通経路の破損を防ぐために、上記スイッチ装置に設けられた保護回路とを有し、上記フィルム状のスイッチ装置が撓んで、上記第１の接点部と上記第２の接点部とが互いに接触したときに、上記第１の端子部と上記第２の端子部とが互いに電気的に接続するように構成されているスイッチ装置であれば、本発明の範囲の包含されるものとする。
【０２７３】
このように構成されたスイッチ装置によっても、静電気による破損を防ぐための保護回路を備えているので、静電気によっても、上記導通経路が破損しにくくなっており、上記導通経路でも断線を防ぐことができ、スイッチ装置における故障の発生を抑制することができ、スイッチ装置が機能しなくなる事態を回避することができる。
【図面の簡単な説明】
【０２７４】
【図１】本発明の第１の実施形態に係るスイッチ装置の概略構成を示す図である。
【図２】図１におけるＩＩＡ―ＩＩＢ断面を示す図である。
【図３】スイッチ装置を構成しているフィルム状基材の概略構成を示す図である。
【図４】図３におけるＩＶＡ―ＩＶＢ断面を示す図である。
【図５】図３におけるＩＶＡ―ＩＶＢ断面を示す図であり、カーボンの変形例を示す図である。
【図６】スペーサの概略構成を示す図である。
【図７】スイッチ装置を構成するフィルム状部材の概略構成を示す図である。
【図８】本発明の第２の実施形態に係るスイッチ装置に使用されるフィルム状基材の概略構成を示す図である。
【図９】本発明の第３の実施形態に係るスイッチ装置の概略構成を示す図である。
【図１０】図９におけるＸＡ−ＸＢ断面を示す図である。
【図１１】第３の実施形態に係るスイッチ装置を構成しているフィルム状基材の概略構成を示す図である。
【図１２】本発明の第４の実施形態に係るスイッチ装置の概略構成を示す図である。
【図１３】第４の実施形態に係るスイッチ装置を構成しているフィルム状基材の概略構成を示す図である。
【図１４】第４の実施形態に係るスイッチ装置を構成しているスペーサの概略構成を示す図である。
【図１５】第４の実施形態に係るスイッチ装置を構成しているフィルム状部材の概略構成を示す図である。
【図１６】本発明の第５の実施形態に係るスイッチ装置の概略構成を示す図である。
【図１７】第５の実施形態に係るスイッチ装置に使用されるフィルム状基材の概略構成を示す図である。
【図１８】図１７におけるＸＶＩＩＩＡ―ＸＶＩＩＩＢ断面を示す図である。
【図１９】本発明の第６の実施形態に係るスイッチ装置の概略構成を示す図である。
【図２０】図１９におけるＸＸＡ−ＸＸＢ断面を示す図である。
【図２１】第６の実施形態に係るスイッチ装置を構成しているフィルム状基材の概略構成を示す図である。
【図２２】第６の実施形態に係るスイッチ装置を構成しているフィルム状部材の概略構成を示す図である。
【図２３】本発明の第７の実施形態に係るスイッチ装置の概略構成を示す図である。
【図２４】図２３におけるＸＸＩＶＡ−ＸＸＩＶＢ断面を示す図である。
【図２５】本発明の第７の実施形態に係るスイッチ装置に使用されるフィルム状基材の概略構成を示す図である。
【図２６】フィルム状部材の概略構成を示す図である。
【図２７】第１の回路の形態を変更した場合を示す図であり、図２４に対応する図である。
【図２８】第１の回路の形態を変更した場合を示す図であり、図２４に対応する図である。
【図２９】本発明の第８実施形態に係るスイッチ装置の概略構成を示す図である。
【図３０】第８の実施形態に係るスイッチ装置を構成しているフィルム状基材の概略構成を示す図である。
【図３１】第６の実施形態に係るスイッチ装置を構成しているフィルム状部材の概略構成を示す図である。
【図３２】本発明の第９の実施形態に係るスイッチ装置の概略構成を示す図である。
【図３３】第９の実施形態に係るスイッチ装置を構成しているフィルム状基材の概略構成を示す図である。
【図３４】第９の実施形態に係るスイッチ装置を構成しているスペーサの概略構成を示す図である。
【図３５】第９の実施形態に係るスイッチ装置を構成しているフィルム状部材の概略構成を示す図である。
【図３６】本発明の第１０実施形態に係るスイッチ装置の概略構成を示す図である。
【図３７】第１０の実施形態に係るスイッチ装置を構成しているフィルム状基材の概略構成を示す図である。
【図３８】第１０の実施形態に係るスイッチ装置を構成しているフィルム状部材の概略構成を示す図である。
【図３９】本発明の第１１の実施形態に係るスイッチ装置の概略構成を示す図である。
【図４０】図３９におけるＸＬＡ−ＸＬＢ断面を示す図である。
【図４１】スイッチ装置を構成しているフィルム状基材の概略構成を示す図である。
【図４２】図４１におけるＸＬＩＩＡ−ＸＬＩＩＢ断面を示す図である。
【図４３】スイッチ装置を構成しているスペーサの概略構成を示す図である。
【図４４】スイッチ装置を構成しているフィルム状部材の概略構成を示す図である。
【図４５】フィルム状部材の変形例を示す図である。
【図４６】本発明の第１２の実施形態に係るスイッチ装置の概略構成を示す図である。
【図４７】図４６におけるＸＬＶＩＩＡ−ＸＬＶＩＩＢ断面を示す図である。
【図４８】第１２の実施形態に係るスイッチ装置を構成しているフィルム状基材の概略構成を示す図である。
【図４９】第１２の実施形態に係るスイッチ装置を構成しているフィルム状部材の概略構成を示す図である。
【図５０】本発明の第１３の実施形態に係るスイッチ装置の概略構成を示す図である。
【図５１】第１３の実施形態に係るスイッチ装置を構成しているフィルム状基材の概略構成を示す図である。
【図５２】図５１におけるＬＩＩＡ−ＬＩＩＢ断面を示す図である。
【図５３】第１３の実施形態に係るスイッチ装置を構成しているフィルム状部材の概略構成を示す図である。
【図５４】フィルム状基材の変形例を示す図である。
【図５５】従来のスイッチ装置の概略構成を示す図である。
【図５６】図５５のＬＶＩＡ−ＬＶＩＢ断面を示す図である。
【図５７】従来のスイッチ装置を構成するフィルム状基材の概略構成を示す図である。
【図５８】従来のスイッチ装置を構成するスペーサの概略構成を示す図である。
【図５９】図５５におけるＬＩＸＡ―ＬＩＸＢ断面を示す図である。
【図６０】図６０は、図５９のＬＸ部の拡大図である。
【図６１】図６０において、銀とカーボンとが、フィルム状基材の表面から剥離した状態を示す図である。
【符号の説明】
【０２７５】
１、１ａ、１ｂ、１ｃ、１ｄ、１ｅ、１ｆ、１ｇ、１ｈ、１ｉ、１４１、１４１ａ、１４１ｂ  スイッチ装置
３、４７、１１３、１４５  スペーサ
５、３５、４１、４５、６３、８３、８９、１１１、１２７、１４３、１６５、１８３  フィルム状基材
７、４７、６５、８５、９１、１１５、１２９、１４７、１６７、１８５  フィルム状部材
９  第１の端子部
１１、９７  第２の端子部
１３Ａ、１３Ｂ、１７Ａ、１７Ｂ、２９Ａ、２９Ｂ、３１Ａ、３１Ｂ、６７Ａ〜６７Ｄ、６９Ａ〜６９Ｄ、７９Ａ〜７９Ｄ、９３Ａ〜９３Ｄ  接点部
１５、９５  第１の導通経路
１９、１０１  第２の導通経路
２１、２３、３７、４３、８７、９５、１０３、１２１、１３１、１６１  回路
６１、１８７  抵抗回路
【図１】
2006032230.tif 000003
【図２】
2006032230.tif 000004
【図３】
2006032230.tif 000005
【図４】
2006032230.tif 000006
【図５】
2006032230.tif 000007
【図６】
2006032230.tif 000008
【図７】
2006032230.tif 000009
【図８】
2006032230.tif 000010
【図９】
2006032230.tif 000011
【図１０】
2006032230.tif 000012
【図１１】
2006032230.tif 000013
【図１２】
2006032230.tif 000014
【図１３】
2006032230.tif 000015
【図１４】
2006032230.tif 000016
【図１５】
2006032230.tif 000017
【図１６】
2006032230.tif 000018
【図１７】
2006032230.tif 000019
【図１８】
2006032230.tif 000020
【図１９】
2006032230.tif 000021
【図２０】
2006032230.tif 000022
【図２１】
2006032230.tif 000023
【図２２】
2006032230.tif 000024
【図２３】
2006032230.tif 000025
【図２４】
2006032230.tif 000026
【図２５】
2006032230.tif 000027
【図２６】
2006032230.tif 000028
【図２７】
2006032230.tif 000029
【図２８】
2006032230.tif 000030
【図２９】
2006032230.tif 000031
【図３０】
2006032230.tif 000032
【図３１】
2006032230.tif 000033
【図３２】
2006032230.tif 000034
【図３３】
2006032230.tif 000035
【図３４】
2006032230.tif 000036
【図３５】
2006032230.tif 000037
【図３６】
2006032230.tif 000038
【図３７】
2006032230.tif 000039
【図３８】
2006032230.tif 000040
【図３９】
2006032230.tif 000041
【図４０】
2006032230.tif 000042
【図４１】
2006032230.tif 000043
【図４２】
2006032230.tif 000044
【図４３】
2006032230.tif 000045
【図４４】
2006032230.tif 000046
【図４５】
2006032230.tif 000047
【図４６】
2006032230.tif 000048
【図４７】
2006032230.tif 000049
【図４８】
2006032230.tif 000050
【図４９】
2006032230.tif 000051
【図５０】
2006032230.tif 000052
【図５１】
2006032230.tif 000053
【図５２】
2006032230.tif 000054
【図５３】
2006032230.tif 000055
【図５４】
2006032230.tif 000056
【図５５】
2006032230.tif 000057
【図５６】
2006032230.tif 000058
【図５７】
2006032230.tif 000059
【図５８】
2006032230.tif 000060
【図５９】
2006032230.tif 000061
【図６０】
2006032230.tif 000062
【図６１】
2006032230.tif 000063